(57)【要約】  全二重通信におけるＲＳ衝突キャンセルに関連する基地局、ユーザ機器、およびワイヤレス通信方法が提供される。基地局は、１つの送信時間間隔（ＴＴＩ）に対応する全二重モードにおける物理リソースユニットにおいて送信されるダウンリンク信号に対して第１の処理および第２の処理のうちの少なくとも１つを実行するように動作する回路と、ＴＴＩ内の物理リソースユニットにおいて処理されたダウンリンク信号を第１のユーザ機器に送信するように動作する送信部と、第２のユーザ機器から物理リソースユニットにおいてアップリンク信号を受信するように動作する受信部とを備え、第１の処理は、物理リソースユニット内の衝突したリソース要素の少なくとも一部の各々に割り当てられたダウンリンク信号とアップリンク信号との間に符号分割多重（ＣＤＭ）が適用されるように実行されるために使用され、衝突したリソース要素の各々は、少なくとも一方が参照信号であるダウンリンク信号とアップリンク信号の両方を割り当てられ、第２の処理は、衝突したリソース要素の中のアップリンク参照信号を割り当てられたリソース要素に割り当てられるダウンリンク信号の少なくとも一部を抑制することを備える。【選択図】  図３
2019530274.tif 000002
【特許請求の範囲】
【請求項１】
１つの送信時間間隔（ＴＴＩ）に対応する全二重モードにおける物理リソースユニットにおいて送信されるダウンリンク信号に対して、第１の処理および第２の処理のうちの少なくとも１つを実行するように動作する回路と、
ＴＴＩ内の前記物理リソースユニットにおいて前記処理されたダウンリンク信号を第１のユーザ機器に送信するように動作する送信部と、
第２のユーザ機器から前記物理リソースユニットにおいてアップリンク信号を受信するように動作する受信部と、
を備え、
前記第１の処理は、前記物理リソースユニット内の衝突したリソース要素の少なくとも一部の各々に割り当てられた前記ダウンリンク信号と前記アップリンク信号との間に符号分割多重（ＣＤＭ）が適用されるように実行されるために使用され、前記衝突したリソース要素の各々は、少なくとも一方が参照信号であるダウンリンク信号とアップリンク信号の両方を割り当てられ、
前記第２の処理は、前記衝突したリソース要素の中のアップリンク参照信号を割り当てられたリソース要素に割り当てられる前記ダウンリンク信号の少なくとも一部を抑制することを備える、
基地局。
【請求項２】
前記第１の処理または前記第２の処理は、前記第１のユーザ機器が前記第２のユーザ機器と同じであるか異なるかに応じて、異なる、請求項１に記載の基地局。
【請求項３】
前記第１のユーザ機器は前記第２のユーザ機器と異なり、衝突したリソース要素の前記少なくとも一部は前記衝突したリソースの中のアップリンク参照信号を割り当てられた前記リソース要素のみであり、
前記第１の処理は、
前記衝突したリソース要素の中のアップリンク参照信号を割り当てられた前記リソース要素を少なくとも１つのグループにグループ化することと、
グループごとに、前記グループの前記リソース要素に割り当てられた前記ダウンリンク信号に一対の直交符号のうちの一方を適用することであって、前記一対の直交符号のうちの他方は、前記第２のユーザ機器において、前記グループの前記リソース要素に割り当てられた前記アップリンク参照信号に適用されることと、
を備える、請求項２に記載の基地局。
【請求項４】
前記第１のユーザ機器および前記第２の機器は同じユーザ機器であり、衝突したリソース要素の前記少なくとも一部は前記衝突したリソース要素のすべてであり、
前記第１の処理は、
前記衝突したリソース要素の中のアップリンク参照信号を割り当てられた前記リソース要素を少なくとも１つのグループにグループ化し、グループごとに、前記グループの前記リソース要素に割り当てられた前記ダウンリンク信号に一対の直交符号のうちの一方を適用することであって、前記一対の直交符号のうちの他方は、前記第２のユーザ機器において、前記グループの前記リソース要素に割り当てられた前記アップリンク参照信号に適用されることと、
前記衝突したリソース要素の中のアップリンク参照信号およびダウンリンク参照信号のうちのダウンリンク参照信号のみを割り当てられた前記リソース要素を少なくとも１つのグループにグループ化し、グループごとに、前記グループの前記リソース要素に割り当てられた前記ダウンリンク参照信号に前記一対の直交符号のうちの前記一方を適用することであって、前記一対の直交符号のうちの前記他方は、前記第２のユーザ機器において、前記グループの前記リソース要素に割り当てられた前記アップリンク信号に適用されることと、
を備える、請求項２に記載の基地局。
【請求項５】
前記リソース要素をグループ化することは、前記物理リソースユニット内の前記リソース要素の位置、および、前記リソース要素に割り当てられた前記参照信号のタイプのうちの少なくとも１つに基づく、請求項３または４に記載の基地局。
【請求項６】
前記第１の処理は、
前記物理リソースユニット内の周波数リソースユニットごとに、アップリンク参照信号を割り当てられた前記リソース要素を少なくとも１つのグループにグループ化することであって、各グループは時間領域においてＮ個の最も近いリソース要素を備え、Ｎは１より大きい整数であることと、
グループごとに、前記グループの前記リソース要素に割り当てられた前記ダウンリンク信号に前記一対の直交符号のうちの前記一方を適用することであって、前記一対の直交符号のうちの前記他方は、前記第２のユーザ機器において、前記グループの前記リソース要素に割り当てられた前記アップリンク参照信号に適用され、前記一対の直交符号の各直交符号の長さはＮに等しいことと、
を備える、請求項５に記載の基地局。
【請求項７】
前記第１のユーザ機器は前記第２のユーザ機器と異なり、前記衝突したリソース要素の中のアップリンク参照信号を割り当てられた前記リソース要素に割り当てられる前記ダウンリンク信号の少なくとも一部を前記抑制することは、
前記衝突したリソース要素の中のアップリンク参照信号を割り当てられた前記リソース要素に割り当てられる前記ダウンリンク信号のすべてを抑制すること、を備える、
請求項２に記載の基地局。
【請求項８】
前記第１のユーザ機器および前記第２の機器は同じユーザ機器であり、前記衝突したリソース要素の中のアップリンク参照信号を割り当てられた前記リソース要素に割り当てられる前記ダウンリンク信号の少なくとも一部を前記抑制することは、
前記衝突したリソース要素の中のアップリンク参照信号およびダウンリンク参照信号のうちのアップリンク参照信号のみを割り当てられた前記リソース要素に割り当てられる前記ダウンリンク信号を抑制することと、
前記衝突したリソース要素の中のダウンリンク参照信号とアップリンク参照信号の両方を割り当てられた前記リソース要素の各々に対して、
前記リソース要素に割り当てられた前記ダウンリンク参照信号の優先度が、前記リソース要素に割り当てられた前記アップリンク参照信号の優先度よりも低い場合、前記ダウンリンク参照信号を抑制することと、
そうでない場合、前記アップリンク参照信号は前記第２のユーザ機器において抑制されることと、
を備え、
前記第２の処理が実行される場合、前記衝突したリソース要素の中のアップリンク参照信号およびダウンリンク参照信号のうちのダウンリンク参照信号のみを割り当てられた前記リソース要素に割り当てられる前記アップリンク信号は前記第２のユーザ機器において抑制される、
請求項２に記載の基地局。
【請求項９】
前記物理リソースユニット内の衝突したリソース要素に対して前記第１の処理が実行されるか前記第２の処理が実行されるかは、前記衝突したリソース要素に割り当てられた参照信号の前記タイプに基づいて判定される、請求項１に記載の基地局。
【請求項１０】
基地局から第１のダウンリンク信号を受信するように動作する受信部と、
前記基地局に第２のアップリンク信号を送信するように動作する送信部と、
を備え、
１つの送信時間間隔（ＴＴＩ）に対応する全二重モードにおける物理リソースユニットにおいて、前記第１のダウンリンク信号が受信され、および／または、前記第２のアップリンク信号が送信される場合、前記物理リソースユニット内の衝突したリソース要素の少なくとも一部に、符号分割多重（ＣＤＭ）および信号抑制のうちの少なくとも１つが適用され、前記衝突したリソース要素の各々は、少なくとも一方が参照信号であるダウンリンク信号とアップリンク信号の両方を割り当てられる、
ユーザ機器。
【請求項１１】
前記受信部は、前記基地局から前記物理リソースユニットにおいて前記第１のダウンリンク信号を受信し、第１のアップリンク信号は、前記ユーザ機器と異なる第２のユーザ機器から前記物理リソースユニットにおいて送信され、
前記基地局から送信される前に、前記第１のダウンリンク信号は、前記基地局において第１の処理および第２の処理のうちの少なくとも１つを実行され、
前記第１の処理は、前記物理リソースユニット内の衝突したリソース要素の少なくとも一部の各々に割り当てられた前記第１のダウンリンク信号と前記第１のアップリンク信号との間にＣＤＭが適用されるように実行されるために使用され、前記衝突したリソース要素の各々は、少なくとも一方が参照信号である第１のダウンリンク信号と第１のアップリンク信号の両方を割り当てられ、
前記第２の処理は、前記衝突したリソース要素の中のアップリンク参照信号を割り当てられた前記リソース要素に割り当てられる前記第１のダウンリンク信号を抑制することを備える、
請求項１０に記載のユーザ機器。
【請求項１２】
前記送信部は、前記基地局に前記物理リソースユニットにおいて前記第２のアップリンク信号を送信し、第２のダウンリンク信号は、前記基地局から前記ユーザ機器と異なる第２のユーザ機器に前記物理リソースユニットにおいて送信され、前記ユーザ機器は、
第１の処理が前記基地局において前記第２のダウンリンク信号に対して実行される場合、送信前に前記第２のアップリンク信号に対して前記第１の処理を実行するように動作する回路、
をさらに備え、
前記基地局から送信される前に、前記第２のダウンリンク信号は、前記基地局において前記第１の処理および第２の処理のうちの少なくとも１つを実行され、
前記第１の処理は、前記物理リソースユニット内の衝突したリソース要素の各々に割り当てられた前記第２のダウンリンク信号と前記第２のアップリンク信号との間にＣＤＭが適用されるように実行されるために使用され、前記衝突したリソース要素の各々は、少なくとも一方が参照信号である第２のダウンリンク信号と第２のアップリンク信号の両方を割り当てられ、
前記第２の処理は、前記衝突したリソース要素の中のアップリンク参照信号を割り当てられた前記リソース要素に割り当てられる前記第２のダウンリンク信号を抑制することを備える、
請求項１０に記載のユーザ機器。
【請求項１３】
前記受信部は、前記基地局から前記物理リソースユニットにおいて前記第１のダウンリンク信号を受信し、前記送信部は、前記基地局に前記物理リソースユニットにおいて前記第２のアップリンク信号を送信し、前記ユーザ機器は、
送信前に前記第２のアップリンク信号に対して第１の処理および第２の処理のうちの少なくとも１つを実行するように動作する回路、
をさらに備え、
前記第１の処理は、前記物理リソースユニット内の衝突したリソース要素の各々に割り当てられた前記第１のダウンリンク信号と前記第２のアップリンク信号との間にＣＤＭが適用されるように実行されるために使用され、前記衝突したリソース要素の各々は、少なくとも一方が参照信号である第１のダウンリンク信号と第２のアップリンク信号の両方を割り当てられ、
前記第２の処理は、前記衝突したリソース要素の中の第１のダウンリンク参照信号を割り当てられた前記リソース要素に割り当てられる前記第２のアップリンク信号の少なくとも一部を抑制することを備える、
請求項１０に記載のユーザ機器。
【請求項１４】
前記第１の処理は、
前記衝突したリソース要素の中の前記ダウンリンク参照信号を割り当てられた前記リソース要素を少なくとも１つのグループにグループ化し、グループごとに、前記グループの前記リソース要素に割り当てられた前記第２のアップリンク信号に一対の直交符号のうちの一方を適用することであって、前記一対の直交符号のうちの他方は、前記基地局において、前記グループの前記リソース要素に割り当てられた前記ダウンリンク参照信号に適用されることと、
前記衝突したリソース要素の中のアップリンク参照信号およびダウンリンク参照信号のうちのアップリンク参照信号のみを割り当てられた前記リソース要素を少なくとも１つのグループにグループ化し、グループごとに、前記グループの前記リソース要素に割り当てられた前記アップリンク参照信号に前記一対の直交符号のうちの前記一方を適用することであって、前記一対の直交符号のうちの前記他方は、前記基地局において、前記グループの前記リソース要素に割り当てられた前記第１のダウンリンク信号に適用されることと、
を備える、請求項１３に記載のユーザ機器。
【請求項１５】
前記衝突したリソース要素の中の第１のダウンリンク参照信号を割り当てられた前記リソース要素に割り当てられる前記第２のアップリンク信号の少なくとも一部を前記抑制することは、
前記衝突したリソース要素の中のアップリンク参照信号およびダウンリンク参照信号のうちのダウンリンク参照信号のみを割り当てられた前記リソース要素に割り当てられる前記第２のアップリンク信号を抑制することと、
前記衝突したリソース要素の中のダウンリンク参照信号とアップリンク参照信号の両方を割り当てられた前記リソース要素の各々に対して、
前記リソース要素に割り当てられた前記アップリンク参照信号の優先度が、前記リソース要素に割り当てられた前記ダウンリンク参照信号の優先度よりも低い場合、前記アップリンク参照信号を抑制することと、
そうでない場合、前記ダウンリンク参照信号は前記基地局において抑制されることと、
を備える、請求項１３に記載のユーザ機器。
【請求項１６】
前記物理リソースユニット内の衝突したリソース要素に対して前記第１の処理が実行されるか前記第２の処理が実行されるかは、前記衝突したリソース要素に割り当てられた参照信号のタイプに基づいて判定される、請求項１３に記載のユーザ機器。
【請求項１７】
ＴＡ（タイミングアドバンス）値をさらに考慮に入れることにより、前記第１の処理または前記第２の処理が実行される、請求項１３に記載のユーザ機器。
【請求項１８】
前記第１の処理は、前記物理リソースユニット内の衝突した各リソース要素における前記第１のダウンリンク信号と、衝突した各リソース要素から時間領域において前記ＴＡ値の分遅延した位置にあるリソース要素に割り当てられた前記第２のアップリンク信号との間にＣＤＭが適用されるようにさらに実行されるために使用され、
前記第２の処理は、前記衝突したリソース要素内のダウンリンク参照信号を割り当てられた前記リソース要素から時間領域において前記ＴＡ値の分遅延した位置にあるリソース要素に割り当てられる第２のアップリンク信号を抑制することをさらに備える、
請求項１７に記載のユーザ機器。
【請求項１９】
１つの送信時間間隔（ＴＴＩ）に対応する全二重モードにおける物理リソースユニットでのワイヤレス通信方法であって、前記物理リソースユニットは、ＴＴＩ内に送信されるアップリンク信号およびダウンリンク信号を割り当てられ、前記方法は、
送信前にアップリンク信号およびダウンリンク信号のうちの少なくとも前記ダウンリンク信号に対して第１の処理および第２の処理のうちの少なくとも１つを実行するステップと、
基地局からＴＴＩ内に前記物理リソースユニットにおいて前記ダウンリンク信号を送信し、ユーザ機器から前記ＴＴＩ内に前記物理リソースユニットにおいて前記アップリンク信号を送信するステップと、
を備え、
前記第１の処理は、前記物理リソースユニット内の衝突したリソース要素の少なくとも一部の各々に割り当てられた前記ダウンリンク信号と前記アップリンク信号との間に符号分割多重（ＣＤＭ）が適用されるように実行されるために使用され、前記衝突したリソース要素の各々は、少なくとも一方が参照信号であるダウンリンク信号とアップリンク信号の両方を割り当てられ、
前記第２の処理は、前記衝突したリソース要素の中の少なくともアップリンク参照信号を割り当てられたリソース要素に割り当てられる前記ダウンリンク信号の少なくとも一部を抑制することを備える、
ワイヤレス通信方法。
【請求項２０】
前記第１の処理または前記第２の処理は、前記アップリンク信号および前記ダウンリンク信号が同じユーザ機器向けであるか、異なるユーザ機器向けであるかに応じて、が異なる、請求項１９に記載のワイヤレス通信方法。
【発明の詳細な説明】
【技術分野】
【０００１】
本開示は、ワイヤレス通信の分野に関し、詳細には、全二重（full duplex）に関連する基地局、ユーザ機器（ＵＥ：Ｕｓｅｒ  Ｅｑｕｉｐｍｅｎｔ）、およびワイヤレス通信方法に関する。
【背景技術】
【０００２】
全二重（full duplex）は、３ＧＰＰ（第３世代パートナーシッププロジェクト）におけるさらなる検討課題であり、ＤＬ（downlink :ダウンリンク）チャネルおよびＵＬ（uplink：アップリンク）チャネルが同じ時間／周波数リソースにおいて送信されることを意味する。全二重は、スペクトル効率を大幅に改善することができるので、ＮＲ（New Radio access technology：新無線アクセス技術）／５Ｇにおける必要な機能であると考えられている。具体的には、ＮＲにおける全二重の概念を理解することを容易にするために、図１は、比較用の３つのケース：（Ａ）ＦＤＤ（周波数分割複信）ＬＴＥ（Long Term Evolution：ロングタームエボリューション）、（Ｂ）ＴＤＤ（時分割複信）ＬＴＥ、および（Ｃ）ＮＲにおける全二重の３つのケースを概略的に示す。図１の（Ａ）〜（Ｃ）に示されたように、Ｔによって示された横軸は時間領域を表し、Ｆによって示された縦軸は周波数領域を表す。図１の（Ａ）〜（Ｂ）から、ＦＤＤ  ＬＴＥでは、ＤＬチャネルおよびＵＬチャネルが同じ時間リソースにおいて異なる周波数リソースを使用し、ＴＤＤ  ＬＴＥでは、ＤＬチャネルおよびＵＬチャネルが同じ周波数リソースにおいて異なる時間リソースを使用することが示される。一方で、図１（Ｃ）に示されたように、全二重では、ＤＬチャネルおよびＵＬチャネルは同じＰＲＢ（Physical Resource Block：物理リソースブロック）内にあり、すなわち、同じ物理（すなわち、時間／周波数）リソースを使用する。このように、従来のＦＤＤおよびＴＤＤと比較すると、全二重はスペクトル効率を大幅に改善することができる。
【発明の概要】
【発明が解決しようとする課題】
【０００３】
１つの非限定的かつ例示的な実施形態は、全二重において参照信号に対する干渉を低減する手法を提供する。
【課題を解決するための手段】
【０００４】
本開示の第１の一般的な態様では、１つの送信時間間隔（ＴＴＩ）に対応する全二重モードにおける物理リソースユニットにおいて送信されるダウンリンク信号に対して、第１の処理および第２の処理のうちの少なくとも１つを実行するように動作する回路と、ＴＴＩ内の物理リソースユニットにおいて処理されたダウンリンク信号を第１のユーザ機器に送信するように動作する送信部と、第２のユーザ機器から物理リソースユニットにおいてアップリンク信号を受信するように動作する受信部とを備える基地局が提供され、第１の処理は、物理リソースユニット内の衝突したリソース要素の少なくとも一部の各々に割り当てられたダウンリンク信号とアップリンク信号との間に符号分割多重（ＣＤＭ）が適用されるように実行されるために使用され、衝突したリソース要素の各々は、少なくとも一方が参照信号であるダウンリンク信号とアップリンク信号の両方を割り当てられ、第２の処理は、衝突したリソース要素の中のアップリンク参照信号を割り当てられたリソース要素に割り当てられるダウンリンク信号の少なくとも一部を抑制することを備える。
【０００５】
本開示の第２の一般的な態様では、基地局から第１のダウンリンク信号を受信するように動作する受信部と、基地局に第２のアップリンク信号を送信するように動作する送信部とを備えるユーザ機器が提供され、１つの送信時間間隔（ＴＴＩ）に対応する全二重モードにおける物理リソースユニットにおいて、第１のダウンリンク信号が受信され、および／または、第２のアップリンク信号が送信される場合、物理リソースユニット内の衝突したリソース要素の少なくとも一部に、符号分割多重（ＣＤＭ）および信号抑制のうちの少なくとも１つが適用され、衝突したリソース要素の各々は、少なくとも一方が参照信号であるダウンリンク信号とアップリンク信号の両方を割り当てられる。
【０００６】
本開示の第３の一般的な態様では、１つの送信時間間隔（ＴＴＩ）に対応する全二重モードにおける物理リソースユニットでのワイヤレス通信方法が提供され、物理リソースユニットは、ＴＴＩ内に送信されるアップリンク信号およびダウンリンク信号を割り当てられ、方法は、送信前にアップリンク信号およびダウンリンク信号のうちの少なくともダウンリンク信号に対して第１の処理および第２の処理のうちの少なくとも１つを実行するステップと、基地局からＴＴＩ内に物理リソースユニットにおいてダウンリンク信号を送信し、ユーザ機器からＴＴＩ内に物理リソースユニットにおいてアップリンク信号を送信するステップとを備え、第１の処理は、物理リソースユニット内の衝突したリソース要素の少なくとも一部の各々に割り当てられたダウンリンク信号とアップリンク信号との間に符号分割多重（ＣＤＭ）が適用されるように実行されるために使用され、衝突したリソース要素の各々は、少なくとも一方が参照信号であるダウンリンク信号とアップリンク信号の両方を割り当てられ、第２の処理は、衝突したリソース要素の中の少なくともアップリンク参照信号を割り当てられたリソース要素に割り当てられるダウンリンク信号の少なくとも一部を抑制することを備える。
【０００７】
一般的または具体的な実施形態は、システム、方法、集積回路、コンピュータプログラム、記憶媒体、またはそれらの任意の選択的な組合せとして実装されてもよいことに留意されたい。
【０００８】
開示された実施形態のさらなる利益および利点は、明細書および図面から明らかになる。利益および／または利点は、明細書および図面の様々な実施形態および特徴によって個別に取得されてもよく、それらは、そのような利益および／または利点のうちの１つまたは複数を取得するためにすべて提供される必要はない。
【０００９】
本開示の前述の特徴および他の特徴は、添付の図面と併せて、以下の説明および添付の特許請求の範囲からより完全に明らかになるであろう。これらの図面は本開示に従っていくつかの実施形態のみを描写するので、その範囲を限定すると考えるべきではなく、本開示は、添付図面を使用してさらなる特殊性および詳細を伴って記載される。
【図面の簡単な説明】
【００１０】
【図１】比較用の３つのケース：（Ａ）ＦＤＤ（周波数分割複信）ＬＴＥ（ロングタームエボリューション）、（Ｂ）ＴＤＤ（時分割複信）ＬＴＥ、および（Ｃ）ＮＲにおける全二重を概略的に示す図である。
【図２】全二重におけるＲＳ衝突の一例を概略的に示す図である。
【図３】本開示の一実施形態に係る、ワイヤレス通信方法のフローチャートである。
【図４】ＵＬ信号およびＤＬ信号が、全二重通信において同じＵＥ向けまたは異なるＵＥ向けである場合を概略的に示す図である。
【図５】全二重通信においてＣＤＭ処理を実行する一例を概略的に示す図である。
【図６】全二重通信においてＣＤＭ処理を実行する別の例を概略的に示す図である。
【図７】全二重通信においてＣＤＭ処理を実行するさらなる例を概略的に示す図である。
【図８】全二重通信においてＣＤＭ処理を実行する別の例を概略的に示す図である。
【図９】全二重通信においてＣＤＭ処理を実行する別の例を概略的に示す図である。
【図１０】全二重通信において信号抑制を実行する一例を概略的に示す図である。
【図１１】全二重通信において信号抑制を実行する別の例を概略的に示す図である。
【図１２】全二重通信においてＣＤＭ処理と信号抑制を組み合わせる一例を概略的に示す図である。
【図１３】全二重通信においてＴＡを考慮に入れることによってＣＤＭ処理を実行する一例を概略的に示す図である。
【図１４】全二重通信においてＴＡを考慮に入れることによって信号抑制を実行する一例を概略的に示す図である。
【図１５】本開示のさらなる実施形態に係る基地局のブロック図である。
【図１６】本開示の別の実施形態に係るユーザ機器のブロック図である。
【発明を実施するための形態】
【００１１】
以下の発明を実施するための形態では、その一部を形成する添付の図面に対して参照が行われる。図面では、文脈が別途規定しない限り、同様の符号は、通常、同様の構成要素を識別する。本開示の態様は、多種多様な異なる構成で配置、置換、結合、および設計することができ、それらのすべてが明示的に企図され、本開示の一部をなすことは容易に理解されよう。
【００１２】
全二重を実現するために、無線では、受信信号に対する信号自体の送信から生じる著しい自己干渉をキャンセルしなければならない。自己干渉が大幅にキャンセルされない場合、残りの自己干渉は、受信信号にノイズとして作用し、ＳＮＲ（信号−ノイズ比）および結果としてスループットを大幅に低下させる可能性がある。したがって、全二重における最大の問題の１つは、ＲＳ（Reference Signal：参照信号）衝突（collision）（すなわち、参照信号に対する干渉）である、なぜなら、ＲＳ衝突は、チャネル品質推定および復調性能に大きく影響する可能性があるからである。しかしながら、ＤＬ送信およびＵＬ送信は、たとえば、図１の（Ｃ）に示されたように、同じ物理リソース内に配置されるため、ＲＳ衝突は、避けることができない可能性がある。
【００１３】
ここで、図２は全二重におけるＲＳ衝突の一例を概略的に示す。図２では、ＰＲＢ２０１は、ＵＬチャネルとＤＬチャネルの両方が割り当てられた全二重ＰＲＢ（full-duplex PRB）であると仮定する。そして、ＰＲＢ２０１がＬＴＥフレーム構造を有すると仮定し、ここではＬＴＥのＲＳ割当て（RS assignment）を例にあげる。たとえば、上部ブロック２０１’はＤＬ  ＲＳ割当てを示し、下部ブロック２０１’’はＵＬ  ＲＳ割当てを示す。ブロック２０１’および２０１’’は両方ともＰＲＢ２０１と等価であり、ブロック２０１’および２０１’’内の各々の小さい四角はＲＥ（Resource Element：リソース要素）を表すことに留意されたい。
【００１４】
より具体的には、ブロック２０１’に示されたように、横線で満たされた小さい四角は、ＤＬ  ＣＲＳ（Cell-specific reference Signal：セル固有参照信号）に割り当てられたＲＥを表し、縦線で満たされた小さい四角は、ＤＬ  ＤＭＲＳ（Dedicated Modulation Reference Signal：専用変調参照信号）に割り当てられたＲＥを表し、点で満たされた小さい四角は、ＤＬ  ＣＳＩ−ＲＳ（Channel State Information Reference Signal：チャネル状態情報参照信号）に割り当てられたＲＥを表し、空白の小さい四角は、ＤＬデータに割り当てられたＲＥを表す。また、ブロック２０１’’に示されたように、左斜線で満たされた小さい四角は、ＵＬ  ＤＭＲＳに割り当てられたＲＥを表し、右斜線で満たされた小さい四角は、ＵＬ  ＳＲＳ（Sounding Reference Signal：サウンディング参照信号）に割り当てられたＲＥを表し、空白の小さい四角は、ＵＬデータに割り当てられたＲＥを表す。
【００１５】
図２に示されたように、ＲＳ衝突は、ＲＳ−ＲＳ衝突およびＲＳ−データ衝突を含む。ＲＳ−ＲＳ衝突は、たとえば、ＲＥ２０１１に示されたように、ＤＬ  ＲＳとＵＬ  ＲＳとの間で衝突が発生することを意味する。ＲＳ−データ衝突は、ＲＥ２０１２に示されたように、ＤＬ  ＲＳとＵＬデータとの間で、または、ＲＥ２０１３に示されたように、ＤＬデータとＵＬ  ＲＳとの間で衝突が発生することを意味する。
【００１６】
上述したように、そのようなＲＳ衝突は、チャネル品質推定および復調性能に大きく影響する可能性がある。現在、ＲＳ衝突を解決する方法は、全二重における最も重要な問題の１つである。しかしながら、今までのところ、５Ｇ／ＮＲにおける全二重でのＲＳ衝突に関する議論は少ない。
【００１７】
本開示の一実施形態では、図３に示されたようなワイヤレス通信方法３０が提供される。図３は、本開示の一実施形態に係るワイヤレス通信方法３０のフローチャートを示す。ワイヤレス通信方法３０は、１つの送信時間間隔（ＴＴＩ：Transmission Time Interval）に対応する全二重モードにおける物理リソースユニットに対しての方法であり、物理リソースユニットには、ＴＴＩ内に送信されるアップリンク信号およびダウンリンク信号を割り当てられる。
【００１８】
本明細書では、物理リソースユニットは１つまたは複数のＰＲＢであってもよい、すなわち、１つのＴＴＩ内に１つまたは複数のＰＲＢが送信されてもよい。以下では、説明の便宜上、図２に示されたように、１つのＴＴＩ内に１つのＰＲＢが送信されると仮定するが、本開示はこれに限定されるものではない。図２に示されたように、ＰＲＢ２０１は、（ブロック２０１’’に示されたような）アップリンク信号、および（ブロック２０１’に示されたような）ダウンリンク信号を割り当てられる、すなわち、全二重モードである。図３に示されたワイヤレス通信方法３０は、たとえば、ＰＲＢ２０１に使用されてもよい。
【００１９】
図３に示されたように、ワイヤレス通信方法３０は、送信前にアップリンク信号およびダウンリンク信号のうちの少なくともダウンリンク信号に対して、第１の処理および第２の処理のうちの少なくとも１つが実行されるステップＳ３０１から始まる。次いで、ステップＳ３０２において、基地局から、ＴＴＩ内に物理リソースユニットにおいてダウンリンク信号が送信され、ユーザ機器から、ＴＴＩ内に物理リソースユニットにおいてアップリンク信号が送信される。ステップＳ３０２の後、ワイヤレス通信方法３０は終了する。
【００２０】
具体的には、「アップリンク信号およびダウンリンク信号のうちの少なくともダウンリンク信号」は、様々な状況に応じて、ステップＳ３０２の送信前にステップＳ３０１において、ダウンリンク信号のみに対して、または、アップリンク信号とダウンリンク信号の両方に対して、処理を実行することが可能であることを意味する。これは後で詳細に説明される。また、「第１の処理および第２の処理のうちの少なくとも１つ」は、ステップＳ３０１において、少なくともダウンリンク信号に対して、第１の処理のみ、第２の処理のみ、または、第１の処理と第２の処理の両方を実行することが可能であることを意味する。これらの３つのケースも後で詳細に説明される。
【００２１】
ワイヤレス通信方法３０では、第１の処理は、物理リソースユニット内の衝突したリソース要素の少なくとも一部の各々に割り当てられたダウンリンク信号とアップリンク信号との間に符号分割多重（ＣＤＭ：Code Division Multiplexing）が適用されるように実行されるために使用される。衝突したリソース要素の各々は、ダウンリンク信号およびアップリンク信号のうちの少なくとも一方が参照信号であるダウンリンク信号とアップリンク信号との両方を割り当てられる。
【００２２】
具体的には、ステップＳ３０１において「アップリンク信号およびダウンリンク信号のうちの少なくともダウンリンク信号」について上述されたように、「衝突したリソース要素の少なくとも一部」は、様々な状況に応じて、衝突したリソース要素の一部のみまたはすべての各々に割り当てられたダウンリンク信号とアップリンク信号との間にＣＤＭを適用することが可能であることを意味する。本明細書では、衝突したリソース要素は、上述されたように、ＲＳ衝突（ＲＳ−ＲＳ衝突またはＲＳ−データ衝突のいずれか）が発生したＲＥを指す。すなわち、ＣＤＭは、ＲＳ衝突が発生したＲＥ（たとえば、図２のＲＥ２０１１、２０１２、２０１３）に割り当てられたダウンリンク信号とアップリンク信号との間に適用される。このように、参照信号に対する干渉を低減することができる。以下、第１の処理はＣＤＭ（処理）とも呼ばれる。
【００２３】
また、ワイヤレス通信方法３０では、第２の処理は、衝突したリソース要素の中の少なくともアップリンク参照信号を割り当てられたリソース要素に割り当てられるダウンリンク信号の少なくとも一部を抑制することを備える。
【００２４】
第１に、「ダウンリンク信号の少なくとも一部」は、様々な状況に応じて、衝突したリソース要素の中のアップリンク参照信号を割り当てられたリソース要素に割り当てられるダウンリンク信号の一部またはすべてを抑制することが可能であることを意味する。これは後で詳細に説明される。第２に、「少なくともアップリンク参照信号を割り当てられたリソース要素」は、様々な状況に応じて、アップリンク参照信号を割り当てられたリソース要素のみに対して、またはアップリンク参照信号を割り当てられたリソース要素とダウンリンク参照信号を割り当てられたリソース要素の両方に対して処理を実行することが可能であることを意味する。これも後で詳細に説明される。ダウンリンク信号を抑制することにより、ダウンリンク信号からアップリンク参照信号への干渉が低減されるので、アップリンク参照信号が保護される。以下、第２の処理は信号抑制（処理）とも呼ばれる。
【００２５】
ワイヤレス通信方法３０では、第１の処理（ＣＤＭ）もしくは第２の処理（信号抑制）またはそれらの組合せを実行することにより、全二重通信におけるＵＬチャネルとＤＬチャネルとの間の参照信号に対する干渉を低減することができ、したがって、復調／チャネル推定性能が向上し、高いスペクトル効率が維持される。
【００２６】
本開示の一実施形態によれば、図３に示されたワイヤレス通信方法３０では、第１の処理または第２の処理は、アップリンク信号およびダウンリンク信号が同じユーザ機器向けであるか、異なるユーザ機器向けであるかに応じて異なる。
【００２７】
理解する便宜上、図４は、ＵＬ信号およびＤＬ信号が、全二重通信において同じＵＥ向けまたは異なるＵＥ向けである場合を概略的に示す。具体的には、図４（Ａ）はＵＬ信号およびＤＬ信号が異なるＵＥ向けである場合を示し、図４（Ｂ）はＵＬ信号およびＤＬ信号が同じＵＥ向けである場合を示す。
【００２８】
第１に、図４（Ａ）に示されたように、ｅＮＢ（基地局）４１０は、全二重ＰＲＢにおいてＵＥ１にＤＬ信号を送信し（実線矢印によって表記される）、ＵＥ２は、全二重ＰＲＢにおいてｅＮＢ４１０にＵＬ信号を送信する（中空矢印によって表記される）。そのような場合、ｅＮＢ４１０側では、ＤＬ信号の送信電力がＵＥ２からのＵＬ信号の受信電力よりもはるかに大きいので、ＵＬ信号の受信はＤＬ信号によって大きく影響される。すなわち、ＵＬ  ＲＳに対する干渉が大きくなる。ＵＥ１側では、ＵＥ１とＵＥ２との間の距離が離れているので、ＵＥ２からのＵＬ信号は、ｅＮＢ４１０からのＤＬ  ＲＳの受信に影響を与えない。したがって、図４（Ａ）に示されたケースの場合、ＵＬ  ＲＳのみが保護される必要があり、すなわち、ＵＬ  ＲＳに対する干渉のみが低減される必要がある。
【００２９】
第２に、図４（Ｂ）に示されたように、ｅＮＢ４１０は、全二重ＰＲＢにおいてＵＥ１にＤＬ信号を送信し（実線矢印によって表記される）、ＵＥ１は、全二重ＰＲＢにおいてｅＮＢ４１０にＵＬ信号を送信する（中空矢印によって表記される）。そのような場合、ｅＮＢ４１０側では、図４（Ａ）に示されたケースと同様に、ＤＬ信号の送信電力がＵＥ１からのＵＬ信号の受信電力よりもはるかに大きいので、ＵＬ信号の受信は、ＤＬ信号によって大きく影響される。すなわち、ＵＬ  ＲＳに対する干渉が大きくなる。ＵＥ１側では、ＵＬ信号の送信電力がｅＮＢ４１０からのＤＬ信号の受信電力よりもはるかに大きいので、ＤＬ信号の受信はＵＬ信号によって大きく影響される。すなわち、ＤＬ  ＲＳに対する干渉が大きくなる。したがって、図４（Ｂ）に示されたケースの場合、ＵＬ  ＲＳとＤＬ  ＲＳの両方が保護される必要があり、すなわち、ＵＬ  ＲＳに対する干渉とＤＬ  ＲＳに対する干渉の両方が低減される必要がある。
【００３０】
要するに、ＵＬ信号およびＤＬ信号が同じＵＥ向けであるか、異なるＵＥ向けであるかにかかわらず、ＵＬ信号の受信はＤＬ信号によって大きく影響される。したがって、ＵＬ  ＲＳは常に保護される必要がある。対照的に、ＵＬ信号およびＤＬ信号が同じＵＥ向けであるときのみ、ＤＬ信号の受信はＵＬ信号によって大きく影響され、このとき、ＤＬ  ＲＳは保護される必要がある。したがって、図４に示された２つの異なるケースの場合、第１の処理または第２の処理は異なる。以下では、最初に例を挙げて、第１の処理（ＣＤＭ）が詳細に説明される。
【００３１】
本開示の一実施形態によれば、図３に示されたワイヤレス通信方法３０では、アップリンク信号およびダウンリンク信号は異なるユーザ機器向けであり、衝突したリソース要素の少なくとも一部は、衝突したリソース要素の中のアップリンク参照信号を割り当てられたリソース要素のみである。そして、第１の処理は、衝突したリソース要素の中のアップリンク参照信号を割り当てられたリソース要素を少なくとも１つのグループにグループ化することと、グループごとに、グループのリソース要素に割り当てられたダウンリンク信号に一対の直交符号のうちの一方を適用し、グループのリソース要素に割り当てられたアップリンク参照信号に一対の直交符号のうちの他方を適用することとを備える。具体的には、これは、上述されたようにＵＬ  ＲＳのみが保護される必要がある図４（Ａ）に示されたケースに相当する。したがって、ＵＬ  ＲＳに対する干渉を低減するために、ＵＬ  ＲＳを割り当てられた衝突したＲＥのみにＣＤＭを適用する必要がある。グループ化および直交符号の適用は、後で例を挙げて詳細に説明される。
【００３２】
本開示の一実施形態によれば、図３に示されたワイヤレス通信方法３０では、アップリンク信号およびダウンリンク信号は同じユーザ機器向けであり、衝突したリソース要素の少なくとも一部は衝突したリソース要素のすべてである。そして、第１の処理は、衝突したリソース要素の中のアップリンク参照信号を割り当てられたリソース要素を少なくとも１つのグループにグループ化し、グループごとに、グループのリソース要素に割り当てられたダウンリンク信号に一対の直交符号のうちの一方を適用し、グループのリソース要素に割り当てられたアップリンク参照信号に一対の直交符号のうちの他方を適用することと、衝突したリソース要素の中のアップリンク参照信号およびダウンリンク参照信号のうちのダウンリンク参照信号のみを割り当てられたリソース要素を少なくとも１つのグループにグループ化し、グループごとに、グループのリソース要素に割り当てられたダウンリンク参照信号に一対の直交符号のうちの一方を適用し、グループのリソース要素に割り当てられたアップリンク信号に一対の直交符号のうちの他方を適用することとを備える。具体的には、これは、上述されたようにＵＬ  ＲＳとＤＬ  ＲＳの両方が保護される必要がある図４（Ｂ）に示されたケースに相当する。したがって、ＵＬ  ＲＳおよびＤＬ  ＲＳに対する干渉を低減するために、ＵＬ  ＲＳを割り当てられた衝突したＲＥとＤＬ  ＲＳを割り当てられた衝突したＲＥの両方にＣＤＭを適用する必要がある。グループ化および直交符号の適用も、後で例を挙げて詳細に説明される。
【００３３】
加えて、本開示の一実施形態によれば、図３に示されたワイヤレス通信方法３０では、リソース要素をグループ化することは、物理リソースユニット内のリソース要素の位置、および、リソース要素に割り当てられた参照信号のタイプのうちの少なくとも１つに基づく。以下では、衝突したＲＥをグループ化する様々な方法を詳細に示すためにいくつかの例が与えられる。
【００３４】
図５は、全二重通信においてＣＤＭ処理を実行する一例を概略的に示す。図５に示されたように、図２と同様に、ＰＲＢ５０１は、ＵＬチャネルとＤＬチャネルの両方が割り当てられた全二重ＰＲＢであると仮定する。そして、ＰＲＢ５０１がＬＴＥフレーム構造を有すると仮定し、ここではＬＴＥのＲＳ割当てを例にあげる。たとえば、上部ブロック５０１’はＤＬ  ＲＳ割当てを示し、下部ブロック５０１’’はＵＬ  ＲＳ割当てを示す。ブロック５０１’および５０１’’は両方ともＰＲＢ５０１と等価であり、ブロック５０１’および５０１’’内の各々の小さい四角はＲＥを表すことに留意されたい。
【００３５】
この例では、簡略化のためにＤＭＲＳのみがここで想定される。具体的には、ＤＬ  ＤＭＲＳを割り当てられたＲＥは、上部ブロック５０１’内の縦線で満たされた小さい四角（たとえば、ＲＥ５０１１、５０１２、５０１３、および５０１４）によって示され、ＵＬ  ＤＭＲＳを割り当てられたＲＥは、下部ブロック５０１’’内の左斜線で満たされた小さい四角（たとえば、ＲＥ５０１５および５０１６）によって示される。残りの空白の小さい四角は、ブロック５０１’および５０１’’内でデータを割り当てられたＲＥを表す。
【００３６】
また、ＰＲＢ５０１に示されたように、右向きの実線矢印は、このＰＲＢに割り当てられたＤＬ信号がＵＥ１向けであることを意味し、左向きの中空矢印は、このＰＲＢに割り当てられたＵＬ信号がＵＥ２向けであることを意味する。すなわち、この例は、上述されたようにＵＬ  ＲＳのみが保護される必要がある図４（Ａ）に示されたケースに相当する。
【００３７】
本開示の一実施形態によれば、図３に示されたワイヤレス通信方法３０では、第１の処理は、物理リソースユニット内の周波数リソースユニットごとに、アップリンク参照信号を割り当てられたリソース要素を少なくとも１つのグループにグループ化することであって、各グループは時間領域においてＮ個の最も近いリソース要素を備え、Ｎは１より大きい整数であること、および、グループごとに、グループのリソース要素に割り当てられたダウンリンク信号に一対の直交符号のうちの一方を適用し、グループのリソース要素に割り当てられたアップリンク参照信号に一対の直交符号のうちの他方を適用することであって、一対の直交符号の各直交符号の長さがＮに等しいこと、を備える。
【００３８】
具体的には、図５に示されたように、衝突したＲＥは、ＵＬ  ＤＭＲＳを割り当てられたＲＥ、すなわち、ブロック５０１’’内の左斜線で満たされた小さい四角、およびブロック５０１’内の対応する小さい四角である。したがって、これらのＲＥにＣＤＭが適用されるべきである。より具体的には、図５では、ＣＤＭが時間領域上に適用される、すなわち、衝突したＲＥを時間領域においてグループ化する。たとえば、ブロック５０１’’では、小さい四角の第１行は、ＰＲＢ５０１内の１つの周波数リソースユニットに対応する。たとえば、この周波数リソースユニット内の衝突したＲＥ５０１５、５０１６は１つのグループにグループ化される、すなわち、Ｎ＝２である。ここで、たとえば、一対の直交符号は、長さ２のウォルシュ符号｛＋１，＋１｝および｛＋１，−１｝である。図５において、ＲＥ内の数によって示されたように、ブロック５０１’’内のＲＥ５０１５および５０１６に割り当てられたＵＬ信号（すなわち、ＵＬ  ＤＭＲＳ）に｛＋１，−１｝が適用され、ＲＥ内の数によって示されたように、ブロック５０１’内のＲＥ５０１５および５０１６に割り当てられたＤＬ信号（すなわち、ＤＬデータ信号）に｛＋１，＋１｝が適用される。同様に、ＰＲＢ５０１内の他の周波数リソースユニットに対して同様のＣＤＭ処理が実行される。このように、ＵＬ  ＤＭＲＳがＣＤＭ処理によって保護され、したがって、復調／チャネル推定性能が向上し、高いスペクトル効率が維持される。
【００３９】
図６は、全二重通信においてＣＤＭ処理を実行する別の例を概略的に示す。図６に示されたように、図５と同様に、ＰＲＢ６０１は、ＵＬチャネルとＤＬチャネルの両方が割り当てられた全二重ＰＲＢであると仮定する。そして、ＰＲＢ６０１がＬＴＥフレーム構造を有すると仮定し、ここではＬＴＥのＲＳ割当てを例にあげる。たとえば、上部ブロック６０１’はＤＬ  ＲＳ割当てを示し、下部ブロック６０１’’はＵＬ  ＲＳ割当てを示す。ブロック６０１’および６０１’’は両方ともＰＲＢ６０１と等価であり、ブロック６０１’および６０１’’内の各々の小さい四角はＲＥを表すことに留意されたい。この例でも、簡略化のためにＤＭＲＳのみがここで想定される。具体的には、ＤＬ  ＤＭＲＳを割り当てられたＲＥは、上部ブロック６０１’内の縦線で満たされた小さい四角（たとえば、ＲＥ６０１１、６０１２、６０１３、および６０１４）によって示され、ＵＬ  ＤＭＲＳを割り当てられたＲＥは、下部ブロック６０１’’内の左斜線で満たされた小さい四角（たとえば、ＲＥ６０１５および６０１６）によって示される。残りの空白の小さい四角は、ブロック６０１’および６０１’’内でデータを割り当てられたＲＥを表す。
【００４０】
図６のＵＬ  ＤＭＲＳおよびＤＬ  ＤＭＲＳの位置は図５のそれらと同じである。図５との違いは、ＰＲＢ６０１に示されたように、右向きの実線矢印が、このＰＲＢに割り当てられたＤＬ信号がＵＥ１向けであることを意味し、左向きの実践矢印が、このＰＲＢに割り当てられたＵＬ信号もＵＥ１向けであることを意味することである。すなわち、この例は、上述されたようにＵＬ  ＲＳとＤＬ  ＲＳの両方が保護される必要がある図４（Ｂ）に示されたケースに相当する。
【００４１】
本開示の一実施形態によれば、図３に示されたワイヤレス通信方法３０では、第１の処理は、物理リソースユニット内の周波数リソースユニットごとに、アップリンク参照信号およびダウンリンク参照信号のうちのダウンリンク参照信号のみを割り当てられたリソース要素を少なくとも１つのグループにグループ化することであって、各グループは時間領域においてＮ個の最も近いリソース要素を備えること、および、グループごとに、グループのリソース要素に割り当てられたダウンリンク参照信号に一対の直交符号のうちの一方を適用し、グループのリソース要素に割り当てられたアップリンク信号に一対の直交符号のうちの他方を適用すること、をさらに備える。
【００４２】
具体的には、図６の例では、ＵＬ  ＲＳとＤＬ  ＲＳの両方が保護される必要があるので、ＵＬ  ＤＭＲＳを割り当てられた衝突したＲＥに対してＣＤＭ処理を実行することに加えて、ＤＬ  ＤＭＲＳを割り当てられた衝突したＲＥに対してもＣＤＭ処理が実行される必要がある。より具体的には、図６のＵＬ  ＤＭＲＳを割り当てられた衝突したＲＥに対するＣＤＭ処理は、図５のＣＤＭ処理と同じである。たとえば、６０１のＲＥの第１行の場合、ブロック６０１’’内のＲＥ６０１５および６０１６に割り当てられたＵＬ信号（すなわち、ＵＬ  ＤＭＲＳ）に｛＋１，−１｝が適用され、ブロック６０１’内のＲＥ６０１５および６０１６に割り当てられたＤＬ信号（すなわち、ＤＬデータ信号）に｛＋１，＋１｝が適用される。加えて、図６のブロック６０１’に示されたように、ＲＥの第１行に対応する周波数リソースユニットの場合、ＤＬ  ＤＭＲＳを割り当てられた４つの衝突したＲＥ、すなわち、ＲＥ６０１１、６０１２、６０１３、および６０１４が存在する。これらのＲＥは２つのグループにグループ化され、各グループは２つの最も近いＲＥを含む（Ｎ＝２）。すなわち、第１のグループはＲＥ６０１１および６０１２を含み、第２のグループはＲＥ６０１３および６０１４を含む。次いで、第１のグループの場合、ブロック６０１’内のＲＥ６０１１および６０１２に割り当てられたＤＬ信号（すなわち、ＤＬ  ＤＭＲＳ）に｛＋１，＋１｝が適用され、ブロック６０１’’内のＲＥ６０１１および６０１２に割り当てられたＵＬ信号（すなわち、ＵＬデータ信号）に｛＋１，−１｝が適用される。同様に、第２のグループの場合、ブロック６０１’内のＲＥ６０１３および６０１４に割り当てられたＤＬ信号（すなわち、ＤＬ  ＤＭＲＳ）に｛＋１，＋１｝が適用され、ブロック６０１’’内のＲＥ６０１３および６０１４に割り当てられたＵＬ信号（すなわち、ＵＬデータ信号）に｛＋１，−１｝が適用される。同様に、ＰＲＢ６０１内の他の周波数リソースユニットに対して同様のＣＤＭ処理が実行される。
【００４３】
図５および図６に示された例では、ＤＬ  ＤＭＲＳとＵＬ  ＤＭＲＳの両方を割り当てられたＲＥは存在しないが、ＲＥは、（後述される他の例に示されるように）ＵＬ  ＲＳとＤＬ  ＲＳの両方を割り当てられてもよい。このように、この種類のＲＥに異なる直交符号を２回適用することを回避するために、たとえば、ＵＬ  ＲＳを割り当てられた衝突したＲＥをグループ化してＣＤＭ処理を実行した後、ＵＬ  ＲＳとＤＬ  ＲＳの両方を割り当てられた衝突したＲＥが、ＵＬ  ＲＳを割り当てられた衝突したＲＥに含まれ、ＣＤＭ処理が実行されたので、ＵＬ  ＲＳおよびＤＬ  ＲＳのうちのＤＬ  ＲＳのみを割り当てられた衝突したＲＥは、グループ化してＣＤＭ処理を実行する必要がある。しかしながら、本開示はこれに限定されない。ＵＬ  ＲＳを割り当てられた衝突したＲＥに対するＣＤＭ処理およびＤＬ  ＲＳを割り当てられた衝突したＲＥに対するＣＤＭ処理の間に、ＵＬ  ＲＳとＤＬ  ＲＳの両方を割り当てられたＲＥが同じ直交符号を適用された場合、上述されたように、ＵＬ  ＲＳとＤＬ  ＲＳの両方を割り当てられたＲＥを異なるように扱う必要はない。ＵＬ  ＲＳを割り当てられた衝突したＲＥに対してＣＤＭ処理を実行すること、およびＤＬ  ＲＳを割り当てられた衝突したＲＥに対してＣＤＭ処理を実行することの順序は、本開示では限定されず、それらは本質的に同時であり得ることにも留意されたい。
【００４４】
２つのＲＥに割り当てられ、｛＋１，＋１｝および｛＋１，−１｝のうちの１つを適用されたＲＳは、同じ変調シンボルを使用して、それらが首尾よく復調され得ることを保証するべきであることに留意されたい。しかしながら、これにより余分なオーバーヘッドが増加する。したがって、余分なオーバーヘッドをキャンセルするために、代替手法の１つは、データ信号を割り当てられたＲＥに隣接する２つのＲＥを用意し、２つのＲＥに割り当てられたＲＳが２つの異なるシンボルを使用する場合にデータ信号を割り当てられた隣接する２つのＲＥに２つの異なるシンボルを拡張することである。他の代替手法は、周波数領域または符号領域においてＣＤＭを実行することであってもよい。
【００４５】
図７は、全二重通信においてＣＤＭ処理を実行するさらなる例を概略的に示す。図７に示された例は、図５に示された例に対する拡張である。具体的には、図７の例も、上述されたようにＵＬ  ＲＳのみが保護される必要がある図４（Ａ）に示されたケースに相当する。図５と同様の内容は、重複を避けるためにここでは記載されない。図５との違いは、図７では、さらに別のタイプのＵＬ  ＲＳ、すなわち、（ブロック７０２’の右斜線で満たされた小さい四角で示されたような）ＵＬ  ＳＲＳが存在することである。この例では、周波数リソースユニット（たとえば、ＰＲＢ７０１内のＲＥの第１行に対応する周波数リソースユニット）の各々に対して、ＵＬ  ＲＳ（ＵＬ  ＤＭＲＳまたはＵＬ  ＳＲＳ）を割り当てられた３つの衝突したＲＥ、すなわち、ＲＥ７０１５、７０１６、および７０１４は、グループ化してＣＤＭ処理を実行する必要がある。しかしながら、長さ２のウォルシュ符号｛＋１，＋１｝および｛＋１，−１｝がＣＤＭ処理に依然使用されるべきである（すなわち、Ｎ＝２）と仮定した場合、これら３つのＲＥの数はＮの倍数ではないので、図５〜図７に使用されたＣＤＭ処理を採用することができない。
【００４６】
この場合、本開示の一実施形態によれば、図３に示されたワイヤレス通信方法３０では、第１の処理は、物理リソースユニット内の周波数リソースユニットごとに、アップリンク参照信号を割り当てられたリソース要素を複数のグループにグループ化することであって、１つのグループが時間領域においてＭ個の最も近いリソース要素を備え、残りのグループの各々が時間領域においてＮ個の最も近いリソース要素を備え、Ｎが１より大きい整数であり、Ｍは０より大きくＮより小さい整数であることと、残りのグループの各々に対して、グループのリソース要素に割り当てられたダウンリンク信号に一対の直交符号のうちの一方を適用し、グループのリソース要素に割り当てられたアップリンク参照信号に一対の直交符号のうちの他方を適用することであって、一対の直交符号の各直交符号の長さがＮに等しいことと、１つのグループに対して、１つのグループのＭ個のリソース要素および時間領域においてＭ個のリソース要素に隣接するＮ−Ｍ個のリソース要素に割り当てられたダウンリンク信号に一対の直交符号のうちの一方を適用し、１つのグループのＭ個のリソース要素に割り当てられたアップリンク参照信号、および時間領域においてＭ個のリソース要素に隣接するＮ−Ｍ個のリソース要素に割り当てられたアップリンク信号に一対の直交符号のうちの他方を適用することと、を備える。
【００４７】
具体的には、図７に示されたように、ＲＥ７０１５、７０１６、および７０１４は２つのグループにグループ化され、すなわち、第１のグループはＲＥ７０１５および７０１６を含み、第２のグループはＲＥ７０１４を含む（すなわち、Ｍ＝１）。第１のグループの場合、ブロック７０１’’に示されたように、２つのＲＥ７０１５および７０１６に割り当てられたＵＬ  ＤＭＲＳに｛＋１，−１｝が適用され、一方、ブロック７０１’に示されたように、２つのＲＥ７０１５および７０１６に割り当てられたＤＬデータ信号に｛＋１，＋１｝が適用される。第２のグループの場合、ＲＥ７０１４は、ＵＬデータ信号を割り当てられたその隣接するＲＥ７０１３とグループ化されてもよい。すなわち、ブロック７０１’’に示されたように、ＲＥ７０１４に割り当てられたＵＬ  ＳＲＳ、およびＲＥ７０１４に隣接するＲＥ７０１３に割り当てられたＵＬデータ信号に｛＋１，−１｝が適用され、一方、ブロック７０１’に示されたように、ＲＥ７０１４およびＲＥ７０１４に隣接するＲＥ７０１３に割り当てられたＤＬ信号に｛＋１，＋１｝が適用される。したがって、ＲＳだけでなくデータ信号およびＲＳにも、直交符号（｛＋１，＋１｝または｛＋１，−１｝）を適用することができる。
【００４８】
図には示されていないが、上記の実施形態は、上述されたように、ＵＬ  ＲＳとＤＬ  ＲＳの両方が保護される必要がある図４（Ｂ）に示されたケースまで及んでもよい。たとえば、ＤＬ  ＲＳを割り当てられた衝突したＲＥの数がＮの倍数でない場合、ＤＬデータ信号を割り当てられた隣接するＲＥが、一緒にグループ化されＣＤＭ処理を実行することができる。
【００４９】
本開示の一実施形態によれば、図３に示されたワイヤレス通信方法３０では、第１の処理は、物理リソースユニット内の周波数リソースユニットごとに、アップリンク参照信号およびダウンリンク参照信号のうちのダウンリンク参照信号のみを割り当てられたリソース要素を複数のグループにグループ化することであって、１つのグループが時間領域においてＰ個の最も近いリソース要素を備え、残りのグループの各々が時間領域においてＮ個の最も近いリソース要素を備え、Ｐが０より大きくＮより小さい整数であることと、残りのグループの各々に対して、グループのリソース要素に割り当てられたダウンリンク参照信号に一対の直交符号のうちの一方を適用し、グループのリソース要素に割り当てられたアップリンク信号に一対の直交符号のうちの他方を適用することと、１つのグループに対して、１つのグループのＰ個のリソース要素に割り当てられたダウンリンク参照信号および時間領域においてＰ個のリソース要素に隣接するＮ−Ｐ個のリソース要素に割り当てられたダウンリンク信号に一対の直交符号のうちの一方を適用し、１つのグループのＰ個のリソース要素および時間領域においてＰ個のリソース要素に隣接するＮ−Ｐ個のリソース要素に割り当てられたアップリンク信号に一対の直交符号のうちの他方を適用することと、をさらに備える。上記のさらなるステップは、ＤＬ  ＲＳのみを割り当てられた衝突したＲＥの数がＮの倍数でない場合に、ＤＬ  ＲＳのみを割り当てられた衝突したＲＥに対して実行されるＣＤＭ処理に相当する。
【００５０】
図８は、全二重通信においてＣＤＭ処理を実行する別の例を概略的に示す。図８に示された例は、図７に示された例に対する拡張であり、図７よりも複雑なケースを示す。第１に、図７の例は、上述されたようにＵＬ  ＲＳのみが保護される必要がある図４（Ａ）に示されたケースに相当するが、図８の例は、図８のＰＲＢ８０１内の左右を向いている実線矢印によって示されたように、上述されたようにＵＬ  ＲＳとＤＬ  ＲＳの両方が保護される必要がある図４（Ｂ）に示されたケースに相当する。第２に、図７では、１つのタイプのＤＬ  ＲＳ（すなわち、ＤＬ  ＤＭＲＳ）のみが存在するが、図８では、３つのタイプのＤＬ  ＲＳが存在する。具体的には、図８に示されたように、図２と同様に、ＤＬ  ＣＲＳを割り当てられたＲＥは、ブロック８０１’内の横線で満たされた小さい四角によって示され、ＤＬ  ＣＳＩ−ＲＳを割り当てられたＲＥは、ブロック８０１’内の点で満たされた小さい四角によって示される。さらに、図８のＵＬ  ＤＭＲＳおよびＵＬ  ＳＲＳを割り当てられたＲＥの位置は図７のそれらと同じであり、それらをグループ化する方法およびそこで実行されるＣＤＭ処理は図７のそれらと同じであり、したがって、それらの詳細は、重複を避けるためにここでは記載されない。
【００５１】
より具体的には、図８に示されたように、ＰＲＢ８０１内の周波数リソースユニットごとに、ＤＬ  ＲＳを割り当てられたＲＥを少なくとも１つのグループにグループ化し、各グループは時間領域において２つの最も近いＲＥを備える。次いで、グループごとに、ブロック８０１’に示されたように、グループのＲＥに割り当てられたＤＬ  ＲＳに｛＋１，＋１｝が適用され、ブロック８０１’’に示されたように、グループのＲＥに割り当てられたＵＬ信号に｛＋１，−１｝が適用される。
【００５２】
ブロック８０１’内のＲＥの第３行に対応する周波数リソースユニットに対して、ＲＥ８０３１および８０３４はＤＬ  ＣＲＳを割り当てられ、ＲＥ８０３２および８０３３はＤＬ  ＣＳＩ−ＲＳを割り当てられることに留意されたい。上記のステップによれば、最も近いＲＥ８０３１および８０３２が１つのグループにグループ化され、最も近いＲＥ８０３３および８０３４が１つのグループにグループ化される。同様に、ブロック８０１’内のＲＥの第６行に対応する周波数リソースユニットに対して、ＲＥ８０６１および８０６４はＤＬ  ＣＲＳを割り当てられ、ＲＥ８０６２、８０６３、８０６５、および８０６６はＤＬ  ＤＭＲＳを割り当てられる。上記のステップによれば、最も近いＲＥ８０６１および８０６２が１つのグループにグループ化され、最も近いＲＥ８０６３および８０６４が１つのグループにグループ化され、最も近いＲＥ８０６５および８０６６が１つのグループにグループ化される。すなわち、衝突したＲＥのグループ化は、ＰＲＢ内のそれらの位置のみに基づいて実行される。最も近い衝突したＲＥは、どの種類のＲＳが割り当てられても、１つのグループにグループ化される。しかしながら、本開示はこれに限定されず、グループ化の他の方法が後で説明される。
【００５３】
加えて、ＰＲＢ８０１内の第１のＲＥに対応する周波数リソースユニットを例にあげると、ＲＥ８０１６はＵＬ  ＤＭＲＳとＤＬ  ＣＳＩ−ＲＳの両方を割り当てられ、ＲＥ８０１４はＵＬ  ＳＲＳとＤＬ  ＤＭＲＳの両方を割り当てられる。図７について記載されたように、ＵＬ  ＲＳを保護する場合、ＲＥ８０１５および８０１６が１つのグループにグループ化され、これら２つのＲＥに割り当てられたＵＬ  ＤＭＲＳは、ブロック８０１’に示されたように｛＋１，−１｝を適用され、ＲＥ８０１５に割り当てられたＤＬデータ信号およびＲＥ８０１６に割り当てられたＤＬ  ＣＳＩ−ＲＳは、ブロック８０１’に示されたように｛＋１，＋１｝を適用される。同様に、ＲＥ８０１３に割り当てられたＵＬデータ信号およびＲＥ８０１４に割り当てられたＵＬ  ＳＲＳは、ブロック８０１’’に示されたように｛＋１，−１｝を適用され、これら２つのＲＥに割り当てられたＤＬ  ＤＭＲＳは、ブロック８０１’に示されたように｛＋１，＋１｝を適用される。ＤＬ  ＲＳを保護する場合、図８に示されたように、ＲＥ８０１１および８０１２は１つのグループにグループ化され、ＲＥ８０１７および８０１６は１つのグループにグループ化され、ＲＥ８０１３および８０１４は１つのグループにグループ化される。次いで、ＲＥ８０１１および８０１２に割り当てられたＤＬ  ＤＭＲＳは、ブロック８０１’に示されたように｛＋１，＋１｝を適用され、これら２つのＲＥに割り当てられたＵＬデータ信号は、ブロック８０１’’に示されたように｛＋１，−１｝を適用される。ＲＥ８０１７および８０１６に割り当てられたＤＬ  ＣＳＩ−ＲＳは、ブロック８０１’に示されたように｛＋１，＋１｝を適用され、ＲＥ８０１７に割り当てられたＵＬデータ信号およびＲＥ８０１６に割り当てられたＵＬ  ＤＭＲＳは、ブロック８０１’’に示されたように｛＋１，−１｝を適用される。ＲＥ８０１３および８０１４に割り当てられたＤＬ  ＤＭＲＳは、ブロック８０１’に示されたように｛＋１，＋１｝を適用され、ＲＥ８０１３に割り当てられたＵＬデータ信号およびＲＥ８０１４に割り当てられたＵＬ  ＳＲＳは、ブロック８０１’’に示されたように｛＋１，−１｝を適用される。
【００５４】
上記から、ＵＬ  ＲＳを保護する場合、およびＤＬ  ＲＳを保護する場合、ＵＬとＤＬ  ＲＳの両方を割り当てられたＲＥ８０１６は同じ直交符号を割り当てられること、すなわち、同じＣＤＭ処理を実行されることが分かる。ＲＥ８０１４の場合もそうである。この場合、（すなわち、ＵＬ  ＲＳを保護する場合、またはＤＬ  ＲＳを保護する場合）そのようなＲＥが一度だけグループ化される（そして一度だけＣＤＭ処理を実行される）ようにする必要はない。すなわち、衝突したＲＥをグループ化してＣＤＭ処理を実行する方法は、具体的な状況に応じて異なってもよく、本開示を限定するものではない。
【００５５】
図５〜図８に与えられた例では、衝突したＲＥのグループ化は、ＰＲＢ内のＲＥの位置のみに基づくが、本開示はこれに限定されない。そして、衝突したＲＥのグループ化は、ＲＥに割り当てられたＲＳのタイプとＰＲＢ内のＲＥの位置の両方に基づいてもよい。
【００５６】
本開示の一実施形態によれば、図３に示されたワイヤレス通信方法３０では、物理リソースユニットにおいて受信されるアップリンク信号は、複数のタイプのアップリンク参照信号を備える。そして、アップリンク参照信号のタイプごとに、第１の処理は、物理リソースユニット内の周波数リソースユニットごとに、アップリンク参照信号のタイプを割り当てられたリソース要素を少なくとも１つのグループにグループ化することであって、各グループが時間領域においてＮ個の最も近いリソース要素を備え、Ｎが１より大きい整数であることと、グループごとに、グループのリソース要素に割り当てられたダウンリンク信号に一対の直交符号のうちの一方を適用し、グループのリソース要素に割り当てられたアップリンク参照信号のタイプに一対の直交符号のうちの他方を適用することであって、一対の直交符号の各直交符号の長さがＮに等しいことと、を備える。具体的には、これは、上述されたようにＵＬ  ＲＳのみが保護される必要がある図４（Ａ）に示されたケースに相当する。そして、ＵＬ  ＲＳのタイプごとに、ＵＬ  ＲＳのタイプを割り当てられた衝突したＲＥは、上記のようにグループ化され、ＣＤＭ処理を実行される。加えて、この場合、グループ化される衝突したＲＥの数はＮの倍数であると仮定する。
【００５７】
本開示の一実施形態によれば、図３に示されたワイヤレス通信方法３０では、物理リソースユニットにおいて受信されるアップリンク信号は、複数のタイプのアップリンク参照信号を備える。そして、アップリンク参照信号のタイプごとに、第１の処理は、物理リソースユニット内の周波数リソースユニットごとに、アップリンク参照信号のタイプを割り当てられたリソース要素を複数のグループにグループ化することであって、１つのグループが時間領域においてＭ個の最も近いリソース要素を備え、残りのグループの各々が時間領域においてＮ個の最も近いリソース要素を備え、Ｎが１より大きい整数であり、Ｍが０より大きくＮより小さい整数であることと、残りのグループの各々に対して、グループのリソース要素に割り当てられたダウンリンク信号に一対の直交符号のうちの一方を適用し、グループのリソース要素に割り当てられたアップリンク参照信号のタイプに一対の直交符号のうちの他方を適用することと、１つのグループに対して、１つのグループのＭ個のリソース要素および時間領域においてＭ個のリソース要素に隣接するＮ−Ｍ個のリソース要素に割り当てられたダウンリンク信号に一対の直交符号のうちの一方を適用し、１つのグループのＭ個のリソース要素に割り当てられたアップリンク参照信号のタイプ、および時間領域においてＭ個のリソース要素に隣接するＮ−Ｍ個のリソース要素に割り当てられたアップリンク信号に一対の直交符号のうちの他方を適用することと、を備える。具体的には、これは、上述されたようにＵＬ  ＲＳのみが保護される必要がある図４（Ａ）に示されたケースに相当する。そして、ＵＬ  ＲＳのタイプごとに、ＵＬ  ＲＳのタイプを割り当てられた衝突したＲＥは、上記のようにグループ化され、ＣＤＭ処理を実行される。加えて、この場合、グループ化される衝突したＲＥの数はＮの倍数ではないと仮定する。
【００５８】
本開示の一実施形態によれば、図３に示されたワイヤレス通信方法３０では、物理リソースユニットにおいて送信されるダウンリンク信号は、複数のタイプのダウンリンク参照信号を備える。そして、ダウンリンク参照信号のタイプごとに、第１の処理は、物理リソースユニット内の周波数リソースユニットごとに、ダウンリンク参照信号のタイプを割り当てられたリソース要素を少なくとも１つのグループにグループ化することであって、各グループが時間領域においてＮ個の最も近いリソース要素を備えることと、グループごとに、グループのリソース要素に割り当てられたダウンリンク参照信号のタイプに一対の直交符号のうちの一方を適用し、グループのリソース要素に割り当てられたアップリンク信号に一対の直交符号のうちの他方を適用することと、をさらに備える。具体的には、これは、上述されたようにＵＬ  ＲＳとＤＬ  ＲＳの両方が保護される必要がある図４（Ｂ）に示されたケースに相当する。そして、ＤＬ  ＲＳのタイプごとに、ＤＬ  ＲＳのタイプを割り当てられた衝突したＲＥは、上記のようにグループ化され、ＣＤＭ処理を実行される。加えて、この場合、グループ化される衝突したＲＥの数はＮの倍数であると仮定する。
【００５９】
本開示の一実施形態によれば、図３に示されたワイヤレス通信方法３０では、物理リソースユニットにおいて送信されるダウンリンク信号は、複数のタイプのダウンリンク参照信号を備える。そして、ダウンリンク参照信号のタイプごとに、第１の処理は、物理リソースユニット内の周波数リソースユニットごとに、ダウンリンク参照信号のタイプを割り当てられたリソース要素を複数のグループにグループ化することであって、１つのグループが時間領域においてＰ個の最も近いリソース要素を備え、残りのグループの各々が時間領域においてＮ個の最も近いリソース要素を備え、Ｐが０より大きくＮより小さい整数であることと、残りのグループの各々に対して、グループのリソース要素に割り当てられたダウンリンク参照信号のタイプに一対の直交符号のうちの一方を適用し、グループのリソース要素に割り当てられたアップリンク信号に一対の直交符号のうちの他方を適用することと、１つのグループに対して、１つのグループのＰ個のリソース要素に割り当てられたダウンリンク参照信号のタイプおよび時間領域においてＰ個のリソース要素に隣接するＮ−Ｐ個のリソース要素に割り当てられたダウンリンク信号に一対の直交符号のうちの一方を適用し、１つのグループのＰ個のリソース要素および時間領域においてＰ個のリソース要素に隣接するＮ−Ｐ個のリソース要素に割り当てられたアップリンク信号に一対の直交符号のうちの他方を適用することと、をさらに備える。具体的には、これは、上述されたようにＵＬ  ＲＳとＤＬ  ＲＳの両方が保護される必要がある図４（Ｂ）に示されたケースに相当する。そして、ＤＬ  ＲＳのタイプごとに、ＤＬ  ＲＳのタイプを割り当てられた衝突したＲＥは、上記のようにグループ化され、ＣＤＭ処理を実行される。加えて、この場合、グループ化される衝突したＲＥの数はＮの倍数ではないと仮定する。
【００６０】
理解する便宜上、図９は、ＲＥに割り当てられたＲＳのタイプとＰＲＢ内のＲＥの位置の両方に基づいて衝突したＲＥをグループ化する場合をさらに示す。図９は、全二重通信においてＣＤＭ処理を実行する別の例を概略的に示す。ＰＲＢに割り当てられたＵＬ  ＲＳおよびＤＬ  ＲＳのタイプならびにそれらの位置は、図８に示されたそれらと全く同じなので、図８のそれらと同じ参照番号が図９において使用される。
【００６１】
具体的には、図９に示されたように、ＰＲＢ８０１内のＲＥの第３行に対応する周波数リソースユニットの場合、２種類のＤＬ  ＲＳが存在するので、ＤＬ  ＲＳのタイプごとに、ＤＬ  ＲＳのタイプを割り当てられた衝突したＲＥのグループ化が実行される。たとえば、ＤＬ  ＣＲＳの場合、ＤＬ  ＣＲＳを割り当てられたＲＥ８０３１および８０３４が１つのグループにグループ化され、次いで、これら２つのＲＥに割り当てられたＤＬ  ＣＲＳは、ブロック８０１’に示されたように｛＋１，＋１｝を適用され、これら２つのＲＥに割り当てられたＵＬデータ信号は、ブロック８０１’’に示されたように｛＋１，−１｝を適用される。また、ＤＬ  ＣＳＩ−ＲＳの場合、ＤＬ  ＣＳＩ−ＲＳを割り当てられたＲＥ８０３２および８０３３が１つのグループにグループ化され、次いで、これら２つのＲＥに割り当てられたＤＬ  ＣＳＩ−ＲＳは、ブロック８０１’に示されたように｛＋１，＋１｝を適用され、これら２つのＲＥに割り当てられたＵＬデータ信号は、ブロック８０１’’に示されたように｛＋１，−１｝を適用される。ＲＥ８０３１および８０３２が１つのグループにグループ化され、ＲＥ８０３３および８０３４が１つのグループにグループ化された図８の例と比較すると、図９では、ＲＥ８０３１および８０３４が１つのグループにグループ化され、ＲＥ８０３２および８０３３が１つのグループにグループ化される。これは、衝突したＲＥのグループ化が、図８ではＰＲＢ８０１内のＲＥの位置のみに基づくが、衝突したＲＥのグループ化が、図９ではＲＥに割り当てられたＲＳのタイプとＰＲＢ８０１内のＲＥの位置の両方に基づくからである。
【００６２】
再びたとえば、図９に示されたように、ＰＲＢ８０１内のＲＥの第６行に対応する周波数リソースユニットの場合、２種類のＤＬ  ＲＳが存在するので、ＤＬ  ＲＳのタイプごとに、ＤＬ  ＲＳのタイプを割り当てられた衝突したＲＥのグループ化が実行される。たとえば、ＤＬ  ＣＲＳの場合、ＤＬ  ＣＲＳを割り当てられたＲＥ８０６１および８０６４が１つのグループにグループ化され、次いで、これら２つのＲＥに割り当てられたＤＬ  ＣＲＳは、ブロック８０１’に示されたように｛＋１，＋１｝を適用され、これら２つのＲＥに割り当てられたＵＬデータ信号は、ブロック８０１’’に示されたように｛＋１，−１｝を適用される。また、ＤＬ  ＤＭＲＳの場合、ＤＬ  ＤＭＲＳを割り当てられたＲＥ８０６２、８０６３、８０６５、および８０６６が２つのグループにグループ化される、すなわち、最も近いＲＥ８０６２および８０６３が１つのグループにグループ化され、最も近いＲＥ８０６５および８０６６が１つのグループにグループ化される。そして、ＲＥ８０６２および８０６３のグループの場合、これら２つのＲＥに割り当てられたＤＬ  ＤＭＲＳは、ブロック８０１’に示されたように｛＋１，＋１｝を適用され、これら２つのＲＥに割り当てられたＵＬデータ信号は、ブロック８０１’’に示されたように｛＋１，−１｝を適用される。ＲＥ８０６５および８０６６の場合、これら２つのＲＥに割り当てられたＤＬ  ＤＭＲＳは、ブロック８０１’に示されたように｛＋１，＋１｝を適用され、ＲＥ８０６５に割り当てられたＵＬデータ信号およびＲＥ８０６６に割り当てられたＵＬ  ＳＲＳは、ブロック８０１’’に示されたように｛＋１，＋１｝を適用される。ＲＥ８０６１および８０６２が１つのグループにグループ化され、ＲＥ８０６３および８０６４が１つのグループにグループ化された図８の例と比較すると、図９では、ＲＥ８０６１および８０６４が１つのグループにグループ化され、ＲＥ８０６２および８０６３が１つのグループにグループ化される。これも、衝突したＲＥのグループ化が、図８ではＰＲＢ８０１内のＲＥの位置のみに基づくが、衝突したＲＥのグループ化が、図９ではＲＥに割り当てられたＲＳのタイプとＰＲＢ８０１内のＲＥの位置の両方に基づくからである。
【００６３】
図５〜図８は、衝突したＲＥのグループ化がＰＲＢ内のＲＥの位置に基づいてもよいことを示し、図９は、衝突したＲＥのグループ化が、ＲＥに割り当てられたＲＳのタイプとＰＲＢ内のＲＥの位置の両方に基づいてもよいことを示すが、本開示はこれに限定されない。当業者は、具体的な状況に応じて、衝突したＲＥをグループ化してＣＤＭ処理を実行する他の方法を採用することができる。たとえば、隣接していない衝突したＲＥも１つのグループにグループ化されてもよい。または、たとえば、ＭＩＭＯ（Multiple Input Multiple Output：多入力多出力）のケースでは、様々なレイヤが１つのグループにグループ化されてもよい。
【００６４】
図５〜図９の例はＣＤＭ処理が時間領域において実行されることを示すが、本開示はこれに限定されないことに留意されたい。たとえば、ＣＤＭ処理は、周波数領域または符号領域において実行されてもよい。たとえば、周波数領域においてＣＤＭ処理を実行する場合、第１の処理は、物理リソースユニット内の時間リソースユニットごとに、アップリンク参照信号を割り当てられたリソース要素を少なくとも１つのグループにグループ化することであって、各グループが周波数領域においてＮ個の最も近いリソース要素を備え、Ｎが１より大きい整数であることと、グループごとに、グループのリソース要素に割り当てられたダウンリンク信号に一対の直交符号のうちの一方を適用し、グループのリソース要素に割り当てられたアップリンク参照信号に一対の直交符号のうちの他方を適用することであって、一対の直交符号の各直交符号の長さがＮに等しいことと、を備えてもよい。
【００６５】
ＵＬ信号またはＤＬ信号は１ＴＴＩ単位で送信されるので、第１の処理（ＣＤＭ処理）が時間領域において実行されるとき、第１の処理はＴＴＩごとに変更されてもよいことに留意されたい。同様に、第１の処理（ＣＤＭ処理）が周波数領域において実行されるとき、第１の処理は同じＴＴＩ内で周波数単位ごとに変更されてもよい。周波数単位は、１つのＰＲＢ、１つのＲＢＧ（Resource Block Group：リソースブロックグループ）などであってもよい。
【００６６】
上記の説明では、長さ２のウォルシュ符号が直交符号の例に取られたが、本開示はこれに限定されないことにも留意されたい。当業者は任意の他の種類の直交符号を採用することができ、直交符号の長さは２に限定されず、直交符号の長さが各グループ内の衝突したＲＥの数に等しい限り、３、４、８などであってもよい。
【００６７】
以上、第１の処理（ＣＤＭ処理）が例によって記載された。第１の処理では、全二重通信におけるＵＬチャネルとＤＬチャネルとの間の参照信号に対する干渉を低減することができ、したがって、復調／チャネル推定性能が向上し、高いスペクトル効率が維持される。以下では、第２の処理（信号抑制）が詳細に説明される。
【００６８】
本開示の一実施形態によれば、図３に示されたワイヤレス通信方法３０では、アップリンク信号およびダウンリンク信号は異なるユーザ機器向けである。そして、衝突したリソース要素の中のアップリンク参照信号を割り当てられたリソース要素に割り当てられるダウンリンク信号の少なくとも一部を抑制することは、衝突したリソースの中のアップリンク参照信号を割り当てられたリソース要素に割り当てられるダウンリンク信号のすべてを抑制することを備える。
【００６９】
具体的には、図１０は、全二重通信において信号抑制を実行する一例を概略的に示す。図１０に示されたように、図５と同様に、ＰＲＢ１００１はＵＬチャネルとＤＬチャネルの両方が割り当てられた全二重ＰＲＢであると仮定する。そして、ＰＲＢ１００１がＬＴＥフレーム構造を有すると仮定し、ここではＬＴＥのＲＳ割当てを例にあげる。たとえば、上部ブロック１００１’はＤＬ  ＲＳ割当てを示し、下部ブロック１００１’’はＵＬ  ＲＳ割当てを示す。ブロック１００１’および１００１’’は両方ともＰＲＢ１００１と等価であり、ブロック１００１’および１００１’’内の各々の小さい四角はＲＥを表すことに留意されたい。この例では、簡略化のためにＤＭＲＳのみがここで想定される。具体的には、ＤＬ  ＤＭＲＳを割り当てられたＲＥは、上部ブロック１００１’内の縦線で満たされた小さい四角によって示され、ＵＬ  ＤＭＲＳを割り当てられたＲＥは、下部ブロック１００１’’内の左斜線で満たされた小さい四角によって示される。残りの小さい四角は、ブロック１００１’および１００１’’内でデータを割り当てられたＲＥを表す。また、ＰＲＢ１００１に示されたように、右向きの実線矢印は、このＰＲＢに割り当てられたＤＬ信号がＵＥ１向けであることを意味し、左向きの中空矢印は、このＰＲＢに割り当てられたＵＬ信号がＵＥ２向けであることを意味する。すなわち、この例は、上述されたようにＵＬ  ＲＳのみが保護される必要がある図４（Ａ）に示されたケースに相当する。
【００７０】
ＵＬ  ＤＭＲＳにおける干渉を低減するために、第１の処理（ＣＤＭ処理）を実行する代わりに、第２の処理（信号抑制）が実行されてもよい。具体的には、図１０に示されたように、ＵＬ  ＤＭＲＳは、ブロック１００１’’に示されたように、ＰＲＢ１００１内の左手からＲＥの４番目および１１番目の列内のＲＥに割り当てられる。これらのＵＬ  ＤＭＲＳを保護するために、これらのＲＥに割り当てられたＤＬ信号は、ブロック１００１’内の暗く小さい四角によって示されたように抑制される。このように、抑制されたＤＬ信号はＵＬ  ＤＭＲＳに影響を与えず、ＵＬ  ＤＭＲＳは保護される。
【００７１】
本開示の一実施形態によれば、図３に示されたワイヤレス通信方法３０では、アップリンク信号およびダウンリンク信号は同じユーザ機器向けである。そして、衝突したリソース要素の中のアップリンク参照信号を割り当てられたリソース要素に割り当てられるダウンリンク信号の少なくとも一部を抑制することは、衝突したリソース要素の中のアップリンク参照信号およびダウンリンク参照信号のうちのアップリンク参照信号のみを割り当てられたリソース要素に割り当てられるダウンリンク信号を抑制することと、衝突したリソース要素の中のアップリンク参照信号およびダウンリンク参照信号のうちのダウンリンク参照信号のみを割り当てられたリソース要素に割り当てられるアップリンク信号を抑制することと、衝突したリソース要素の中のダウンリンク参照信号とアップリンク参照信号の両方を割り当てられたリソース要素の各々に対して、リソース要素に割り当てられたダウンリンク参照信号の優先度が、リソース要素に割り当てられたアップリンク参照信号の優先度よりも低い場合、ダウンリンク参照信号を抑制し、そうでない場合、アップリンク参照信号を抑制することとを備える。
【００７２】
具体的には、図１１は、全二重通信において信号抑制を実行する別の例を概略的に示す。図１１に示されたように、図１０と同様に、ＰＲＢ１１０１はＵＬチャネルとＤＬチャネルの両方が割り当てられた全二重ＰＲＢであると仮定する。そして、ＰＲＢ１１０１がＬＴＥフレーム構造を有すると仮定し、ここではＬＴＥのＲＳ割当てを例にあげる。たとえば、上部ブロック１１０１’はＤＬ  ＲＳ割当てを示し、下部ブロック１１０１’’はＵＬ  ＲＳ割当てを示す。ブロック１１０１’および１１０１’’は両方ともＰＲＢ１１０１と等価であり、ブロック１１０１’および１１０１’’内の各々の小さい四角はＲＥを表すことに留意されたい。この例でも、簡略化のためにＤＭＲＳのみがここで想定される。そして、ＵＬ  ＤＭＲＳ、ＤＬ  ＤＭＲＳ、またはデータ信号を割り当てられたＲＥ用のマークは、図１０のマークと同じであり、したがって、重複を避けるためにその詳細はここには記載されない。
【００７３】
図１０との違いは、ＰＲＢ１１０１に示されたように、右向きの実線矢印が、このＰＲＢに割り当てられたＤＬ信号がＵＥ１向けであることを意味し、左向きの実践矢印が、このＰＲＢに割り当てられたＵＬ信号もＵＥ１向けであることを意味することである。すなわち、この例は、上述されたようにＵＬ  ＲＳとＤＬ  ＲＳの両方が保護される必要がある図４（Ｂ）に示されたケースに相当する。この場合、図１０で実行される信号抑制に加えて、ＤＬ  ＤＭＲＳを割り当てられたＲＥに割り当てられたＵＬデータ信号も、ブロック１１０１’’内の暗く小さい四角によって示されたように抑制される。このように、ＵＬ  ＤＭＲＳとＤＬ  ＤＭＲＳの両方は、受信および復調のために保護されるべきである。
【００７４】
具体的には、図１１に示されたように、図１０と同様に、ＵＬ  ＤＭＲＳを保護するために、ＵＬ  ＤＭＲＳを割り当てられたＲＥに割り当てられたＤＬ信号は、ブロック１００１’内の暗く小さい四角によって示されたように抑制される。このように、抑制されたＤＬ信号はＵＬ  ＤＭＲＳに影響を与えず、ＵＬ  ＤＭＲＳは保護される。一方、ＤＬ  ＤＭＲＳを保護するために、ＤＬ  ＤＭＲＳを割り当てられたＲＥに割り当てられたＵＬ信号は、ブロック１００１’’内の暗く小さい四角によって示されたように抑制される。このように、抑制されたＵＬ信号はＤＬ  ＤＭＲＳに影響を与えず、ＵＬ  ＤＭＲＳは保護される。
【００７５】
図１０および図１１のいずれも、ＵＬ  ＲＳとＤＬ  ＲＳの両方を割り当てられたいかなるＲＥも示していないが、そのようなＲＥは、（たとえば、図７〜図９に示されたような）より複雑な場合に存在してもよいことに留意されたい。ＵＬ  ＲＳとＤＬ  ＲＳの両方を割り当てられたＲＥの場合、ＵＬ  ＲＳの優先度がＤＬ  ＲＳよりも低い場合、ＤＬ  ＲＳを保護するためにＵＬ  ＲＳが抑制される。そうではなく、ＵＬ  ＲＳの優先度がＤＬ  ＲＳよりも高い場合、ＵＬ  ＲＳを保護するためにＤＬ  ＲＳが抑制される。当業者なら、ＲＳの各タイプの優先度の判定は、具体的な状況における任意の適切な要因に基づく場合があり、本開示はこれに限定されないことが理解されよう。
【００７６】
要するに、第２の処理（信号抑制）では、ＲＳ−データ衝突の場合、ＲＳを保護するためにデータ信号が抑制され、ＲＳ−ＲＳ衝突の場合、より重要なＲＳを保護するためにあまり重要でないＲＳが抑制される。
【００７７】
本開示の一実施形態によれば、図３に示されたワイヤレス通信方法３０では、抑制は、レートマッチングによってリソース要素に信号を割り当てないこと、リソース要素において信号をパンクチャリングすること、リソース要素における信号の電力をゼロに削減すること、リソース要素における信号の電力をより小さい値に削減することのうちの１つによって実施される。
【００７８】
具体的には、信号抑制はスケジューリングの態様で実現されてもよい。たとえば、信号抑制はパンクチャリングによって実行されてもよい。図１０および図１１に示されたように、暗く小さい四角形は、これらのＲＥに割り当てられたデータ信号がパンクチャリングされることを表すことができる。あるいは、信号抑制はレートマッチングによって実行されてもよい。すなわち、レートを調整することにより、これらの衝突したＲＥに元々割り当てられたデータ信号（図１０および図１１の暗く小さい四角）は、他のＲＥに再割当てされてもよい。スケジューリングのこの２つの方式の間の違いは、パンクチャリングはデータ信号の損失をもたらすが、レートマッチングはもたらさないことであることに留意されたい。加えて、信号抑制は電力制御の態様で実現されてもよい。たとえば、信号抑制は抑制されるべき信号の電力を削減することによって実行されてもよい。たとえば、抑制されるべき信号の電力を、保護されるべきＲＳにおける干渉を無視できるほど十分低い電力レベルに削減することが可能である。またはさらに、抑制されるべき信号の電力を、保護されるべきＲＳにおける干渉を完全にキャンセルするためにゼロに削減することが可能である。
【００７９】
信号抑制の上記の例示的な実装形態は例にすぎず、本開示を限定するものではないことに留意されたい。当業者は、信号抑制を実施するために任意の他の適切な手法を採用することができる。
【００８０】
本開示の一実施形態によれば、図３に示されたワイヤレス通信方法３０では、抑制された信号は、リソース要素とは異なる別のリソース要素にさらに再割当てされる。具体的には、上述されたように、パンクチャリングはデータ信号の損失をもたらす。この場合、受信部側が依然としてデータ信号またはＲＳを取得することができるようにするために、パンクチャリングされたデータ信号またはパンクチャリングされたＲＳを他のＲＥに再割当てすることが可能である。
【００８１】
本開示の一実施形態によれば、図３に示されたワイヤレス通信方法３０では、第２の処理はＴＴＩごとに変更される。上述された第１の処理と同様に、第２の処理も、１ＴＴＩ単位でＵＬ信号またはＤＬ信号が送信されるので、ＴＴＩごとに変更されてもよい。
【００８２】
上述された第２の処理は、制御ケースまたはＲＡＣＨ（Random Access Channel：ランダムアクセスチャネル）、ＰＳＳ（Primary Synchronous Signal：１次同期信号）／ＳＳＳ（Secondary Synchronous Signal：２次同期信号）などの他の信号衝突ケースに拡張されてもよいことは、当業者なら理解されよう。
【００８３】
第２の処理（信号抑制）では、全二重通信におけるＵＬチャネルとＤＬチャネルとの間の参照信号に対する干渉を低減することができ、したがって、復調／チャネル推定性能が向上し、高いスペクトル効率が維持される。
【００８４】
上述されたように、ＲＳにおける干渉を低減するために、衝突したＲＥに対して第１の処理のみまたは第２の処理のみが実行されてもよい。しかしながら、本開示はこれに限定されない。第１の処理および第２の処理は、ＲＳにおける干渉を低減するために、任意の適切な方法で組み合わされてもよい。
【００８５】
本開示の一実施形態によれば、図３に示されたワイヤレス通信方法３０では、物理リソースユニット内の衝突したリソース要素に対して第１の処理が実行されるか第２の処理が実行されるかは、衝突したリソース要素に割り当てられた参照信号のタイプに基づいて判定される。
【００８６】
具体的には、図６（および図１１）を簡単な例にあげると、ＤＬ  ＤＭＲＳを割り当てられた衝突したＲＥ（たとえば、ＲＥ５０１１、５０１２、５０１３、５０１４など）に対して第２の処理を実行しながら、ＵＬ  ＤＭＲＳを割り当てられた衝突したＲＥ（たとえば、ＲＥ５０１５、５０１６など）に対して第１の処理を実行することも可能である。すなわち、異なるタイプのＲＳに対して、異なる処理が使用されてもよい。
【００８７】
より複雑な例として、図１２は、全二重通信においてＣＤＭ処理と信号抑制を組み合わせる一例を概略的に示す。図１２のＤＬおよびＵＬのＲＳ構成は、図８および図９の構成と同じであり、したがって、重複を避けるためにここでは再び記載されない。図１２の図８および図９との違いは、図８および図９では第１の処理のみが実行され、図１２では第１の処理と第２の処理の両方が組み合わせて使用されることである。具体的には、図１２に示されたように、ＤＬ  ＣＲＳ、ＤＬ  ＤＭＲＳ、ＤＬ  ＣＳＩ−ＲＳ、およびＵＬ  ＳＲＳに対して第１の処理が実行され、ＵＬ  ＤＭＲＳに対して第２の処理が実行される。物理リソースユニット内の衝突したリソース要素に対して第１の処理が実行されるか第２の処理が実行されるかの判定は、衝突したリソース要素に割り当てられた参照信号のタイプの具体的な特性に基づいてもよいことに留意されたい。
【００８８】
第１の処理と第２の処理を組み合わせる方式は、上述された方式とは異なってもよいことに留意されたい。たとえば、衝突したＲＥのすべてを２つのクラスに分割することが可能であり、第１のクラスは、データ信号およびＲＳを割り当てられたＲＥを含み、第２のクラスは、ＵＬ  ＲＳおよびＤＬ  ＲＳを割り当てられたＲＥを含む。次いで、第１クラスのＲＥに対して第２の処理が実行される、すなわち、ＲＥに割り当てられたＲＳを保護するために、ＲＥに割り当てられたデータ信号が抑制される。一方、第１の処理は第２のクラスのＲＥに対して実行される、すなわち、ＲＥに割り当てられたＵＬ  ＲＳとＤＬ  ＲＳとの間にＣＤＭが適用される。要するに、第２の処理はＲＳ−データ衝突に対して実行され、第１の処理はＲＳ−ＲＳ衝突に対して実行される。
【００８９】
当業者は、たとえばコストと効率との間のトレードオフを取ることにより、第１の処理と第２の処理を組み合わせる任意の他の方式を使用することもでき、その方式は本開示を限定しないことに留意されたい。
【００９０】
第１の処理（ＣＤＭ処理）および第２の処理（信号抑制）の組合せにより、全二重通信におけるＵＬチャネルとＤＬチャネルとの間の参照信号に対する干渉を低減することができ、したがって、復調性能が向上し、高いスペクトル効率が維持される。
【００９１】
図５〜図１２の上記の例はすべて、ＴＡ（タイミングアドバンス）が小さい、すなわち、関与するセルが小さいケースに相当する。しかしながら、場合によっては（たとえば、大きいセル）、ＴＡは比較的大きくてもよい。これらの場合、第１の処理および／または第２の処理は、いくつかの調整によって適用可能であってもよい。このように、本開示の一実施形態によれば、図３に示されたワイヤレス通信方法３０では、ＴＡ（タイミングアドバンス）値をさらに考慮に入れることにより、第１の処理または第２の処理が実行される。
【００９２】
より具体的には、本開示の一実施形態によれば、図３に示されたワイヤレス通信方法３０では、第１の処理は、物理リソースユニット内の衝突したリソース要素の各々におけるダウンリンク信号と、衝突したリソース要素の各々から時間領域においてＴＡ値の分遅延した位置にあるリソース要素に割り当てられたアップリンク信号との間にＣＤＭが適用されるように、さらに実行されるために使用される。そして、第２の処理は、衝突したリソース要素内のダウンリンク参照信号を割り当てられたリソース要素から時間領域においてＴＡ値の分遅延した位置にあるリソース要素に割り当てられるアップリンク信号を抑制することをさらに含む。
【００９３】
図１３は、全二重通信においてＴＡを考慮に入れることによってＣＤＭ処理を実行する一例を概略的に示す。第１に、図１３に示された例は、ＵＬ  ＲＳとＤＬ  ＲＳの両方が保護される必要がある図４（Ｂ）に示されたケースに相当する。第２に、図１３のＤＬおよびＵＬのＲＳ構成は、図６の構成と同じであり、したがって、重複を避けるためにここでは再び記載されない。第３に、この例ではＴＡ値が大きいと仮定する。
【００９４】
具体的には、図１３（Ａ）は、上部ブロック１３０１Ａおよび下部ブロック１３０１Ａ’によって示されたように、ＵＬチャネルおよびＤＬチャネルが良好に整列したｅＮＢ側でのケースを示す。したがって、ＤＬチャネルからのＵＬチャネルにおける干渉は元の位置にあり、すなわち、大きいＴＡによって影響されない。したがって、ＵＬ  ＲＳを保護する場合、ＴＡ値を考慮に入れる必要はない。図１３（Ａ）に示されたように、ＵＬ  ＤＭＲＳを割り当てられた衝突したＲＥに対して実行されるＣＤＭ処理は、図６のＣＤＭ処理と同じである。
【００９５】
加えて、図１３（Ｂ）は、上部ブロック１３０１Ｂおよび下部ブロック１３０１Ｂ’によって示されたように、受信されたＤＬチャネルおよびＵＬチャネルが、大きいＴＡ値に起因して整列していない、ＵＥ１側でのケースを示す。ここで、ＴＡ値は、図１３（Ｂ）に示されたように、時間領域において２つのＯＦＤＭシンボルに等しいと仮定する。この場合、ＤＬ  ＲＳを保護するとき、ＴＡ値を考慮に入れなければならない。図１３に示されたように、ＤＬ  ＤＭＲＳに対して実行されるＣＤＭ処理は、図６のＣＤＭ処理とは異なる。より具体的には、ブロック１３０１Ａ’および１３０１Ｂ’に示されたように、ＣＤＭ処理を適用されるＵＬ信号を割り当てられたＲＥは、時間領域において２つのＯＦＤＭシンボルだけＤＬ  ＤＭＲＳを割り当てられたＲＥから遅延したものでなければならない。
【００９６】
さらにＴＡ値を考慮に入れることによる第１の処理では、ＴＡ値が大きい場合にＲＳに対する干渉を低減することも可能である。
【００９７】
図１４は、全二重通信においてＴＡを考慮に入れることによって信号抑制を実行する一例を概略的に示す。第１に、図１４に示された例も、ＵＬ  ＲＳとＤＬ  ＲＳの両方が保護される必要がある図４（Ｂ）に示されたケースに相当する。第２に、図１４のＤＬおよびＵＬのＲＳ構成は、図１１の構成と同じであり、したがって、重複を避けるためにここでは再び記載されない。第３に、この例ではＴＡ値が大きいと仮定する。
【００９８】
具体的には、図１４（Ａ）は、上部ブロック１４０１Ａおよび下部ブロック１４０１Ａ’によって示されたように、ＵＬチャネルおよびＤＬチャネルが良好に整列したｅＮＢ側でのケースを示す。したがって、ＤＬチャネルからのＵＬチャネルにおける干渉は元の位置にあり、すなわち、大きいＴＡによって影響されない。したがって、ＵＬ  ＲＳを保護するとき、ＴＡ値を考慮に入れる必要はない。図１４（Ａ）に示されたように、ＵＬ  ＤＭＲＳを割り当てられた衝突したＲＥに対して実行される信号抑制は、図１１の信号抑制と同じである。
【００９９】
加えて、図１４（Ｂ）は、上部ブロック１４０１Ｂおよび下部ブロック１４０１Ｂ’によって示されたように、受信されたＤＬチャネルおよびＵＬチャネルが大きいＴＡ値に起因して整列していない、ＵＥ１側でのケースを示す。ここで、図１３と同様に、ＴＡ値は、図１４（Ｂ）に示されたように、時間領域において２つのＯＦＤＭシンボルに等しいと仮定する。この場合、ＤＬ  ＲＳを保護するとき、ＴＡ値を考慮に入れなければならない。図１４に示されたように、ＤＬ  ＤＭＲＳに対して実行される信号抑制は、図１１の信号抑制とは異なる。より具体的には、ブロック１４０１Ａ’および１４０１Ｂ’に示されたように、抑制されるＵＬ信号を割り当てられたＲＥは、時間領域において２つのＯＦＤＭシンボルだけＤＬ  ＤＭＲＳを割り当てられたＲＥから遅延したものでなければならない。
【０１００】
さらにＴＡ値を考慮に入れることによる第２の処理では、ＴＡ値が大きい場合のＲＳへの干渉を低減することも可能である。
【０１０１】
同様に、図１２を参照して上述されたように、第１の処理および第２の処理が組み合わされると、さらにＴＡ値を考慮に入れることにより、ＴＡ値が大きい場合にＲＳに対する干渉を低減することも可能である。これは、重複を避けるために詳細に記載されない。
【０１０２】
本開示の一実施形態によれば、図３に示されたワイヤレス通信方法３０では、アップリンク信号およびダウンリンク信号が同じユーザ機器向けであるか異なるユーザ機器向けであるかは、暗黙的な方法または明示的な方法で、ダウンリンク信号を送信する基地局からアップリンク信号を送信するユーザ機器にシグナリングされる。
【０１０３】
具体的には、たとえば、ユーザ機器は、たとえば、ＤＣＩ（Downlink Control Information：ダウンリンク制御情報）によってシグナリングされた、受信されたＵＬグラント（UL grant）および／またはＤＬグラント（DL Grant）から、全二重モードでＰＲＢにおいて送信されたＤＬ信号およびＵＬ信号が、同じユーザ機器向けであるか異なるユーザ機器向けであるかを推論することができる。より具体的には、たとえば、図４（Ａ）に示されたケースでは、ＵＥ１は全二重モードでＰＲＢを示すＤＬグラントのみを受信し、ＵＥ２は同じＰＲＢを示すＵＬグラントのみを受信し、したがって、ＵＥ１とＵＥ２の両方は、ＰＲＢにおいて送信されるＤＬ信号およびＵＬ信号が異なるユーザ機器向けである、すなわち、ＤＬ信号がＵＥ１向けであり、ＵＬ信号がＵＥ２向けであると推論することができる。または、たとえば図４（Ｂ）に示されたケースでは、ＵＥ１が同じＰＲＢを示すＵＬグラントとＤＬグラントの両方を受信すると、ＵＥ１は、ＰＲＢにおいて送信されたＤＬ信号とＵＬ信号が同じユーザ機器向け、すなわちＵＥ１自体向けであると推論することができる。
【０１０４】
上述されたようにＵＬグラントおよび／またはＤＬグラントを使用することは、全二重モードでＰＲＢにおいて送信されたＤＬ信号およびＵＬ信号が同じユーザ機器向けであるか異なるユーザ機器向けであるかをユーザ機器が知るための暗黙的な方法である。暗黙的な方法では、他のシグナリングをさらに設定する必要がなく、したがって、シグナリングオーバーヘッドが低減される。しかしながら、グラントのうちのいずれか１つが失われた場合、基地局（ｅＮＢ）とユーザ機器との間に誤解が生じる。この場合、これらのエラーケースを処理するために再送メカニズムが適用されてもよい。
【０１０５】
全二重モードでＰＲＢにおいて送信されたＤＬ信号およびＵＬ信号が同じユーザ機器向けであるか異なるユーザ機器向けであるかをユーザ機器が知るための代替方法は、明示的な方法での指示である。たとえば、既存のＤＣＩ内のいくつかのビットにより、またはＤＣＩの新しいフォーマットにより、全二重モードでＰＲＢにおいて送信されたＤＬ信号およびＵＬ信号が同じユーザ機器向けであるか異なるユーザ機器向けであるかを明示的に示すことが可能である。明示的な方法では、グラントのうちの１つが失われた場合でも、基地局とユーザ機器との間に曖昧さはない。
【０１０６】
本開示の一実施形態によれば、図３に示されたワイヤレス通信方法３０では、第１の処理および／または第２の処理が実行されたかどうか、第１の処理または第２の処理の具体的な設定、ならびに第１の処理および／または第２の処理の禁止は、明示的な方法で、ダウンリンク信号を送信する基地局からアップリンク信号を送信するユーザ機器にシグナリングされる。
【０１０７】
具体的には、第１の処理もしくは第２の処理またはそれらの組合せが実行されたかどうか、第１の処理または第２の処理の具体的な設定（たとえば、衝突したＲＥをグループ化する具体的な方式、第１の処理における直交符号などの選択、および第２の処理の具体的な実装形態（パンクチャリング、レートマッチング、電力削減など））、ならびに、第１の処理および／または第２の処理を無効にするべきかどうかは、基地局（たとえば、ｅＮＢ）において決定される。したがって、ｅＮＢからユーザ機器に関連情報を通知する必要がある。たとえば、ＲＲＣ（Radio Resource Control：無線リソース制御）、ＭＡＣ（Media Access Control：媒体アクセス制御）、またはＤＣＩによる明示的なシグナリングを介して、ｅＮＢからユーザ機器に情報をシグナリングすることが可能である。
【０１０８】
上述されたＤＣＩ、ＲＲＣ、およびＭＡＣは、説明用の例にすぎず、本開示はそれらに限定されないことに留意されたい。本開示からの教示に応じて、上記の情報の通知用の任意の他の適切なシグナリングを採用することが可能であり、これは本開示の範囲内に入る。
【０１０９】
本開示の一実施形態によれば、図３に示されたワイヤレス通信方法３０では、アップリンク信号によって使用される波形およびダウンリンク信号によって使用される波形は、互いに同じであるか、または異なる。
【０１１０】
ＮＲでは、波形はまだ議論中であり、結局、ＵＬチャネルおよびＤＬチャネルは異なる波形を使用することができる。提案される解決策は、ＮＲ議論の異なる結果を検討することが望ましい。衝突した位置でのみ実施し、適応可能な一般的な方法を提案されなければならない。加えて、ＵＥ側の全二重問題とｅＮＢ側の全二重は異なる可能性があり、別々に考慮される必要がある。
【０１１１】
本開示において上記で提案された解決策は、異なる波形技法に適応可能である。具体的には、本開示では、全二重モードでＰＲＢにおいて送信されるＤＬ信号およびＵＬ信号は、同じまたは異なる波形を使用することができる。すなわち、第１の処理と第２の処理の両方は、全二重動作においてＵＬ信号およびＤＬ信号によって使用される波形に対する要件をもたない。
【０１１２】
本開示の一実施形態によれば、図３に示されたワイヤレス通信方法３０では、第１の処理または第２の処理を実行される衝突したリソース要素の１つまたは複数の隣接リソース要素は、波形技法に基づいて確保される。
【０１１３】
具体的には、上述されたように、波形はＮＲでは議論中である。ある特定の波形技法に基づいて、アナログキャンセルを助けるために、第１の処理または第２の処理を実行される衝突したＲＥの１つまたは複数の隣接ＲＥは、確保される必要があり得る。
【０１１４】
上記の例はすべてＬＴＥシナリオに関連するが、それらは例示の目的にすぎないことにも留意されたい。本開示はＬＴＥシナリオに限定されず、基地局はｅＮＢに限定されない。
【０１１５】
以上、図３〜図１２を参照して、ワイヤレス通信方法３０が詳細に記載された。ワイヤレス通信方法３０では、第１の処理（ＣＤＭ）もしくは第２の処理（信号抑制）またはそれらの組合せを実行することにより、全二重通信におけるＵＬチャネルとＤＬチャネルとの間の参照信号に対する干渉を低減することができ、したがって、復調／チャネル推定性能が向上し、高いスペクトル効率が維持される。
【０１１６】
本開示のさらなる実施形態では、図１５に示された基地局１５００が提供される。図１５は、本開示のさらなる実施形態に係る基地局１５００のブロック図を示す。
【０１１７】
図１５に示されたように、基地局１５００は、１つの送信時間間隔（ＴＴＩ）に対応する全二重モードにおける物理リソースユニットにおいて送信されるダウンリンク信号に対して第１の処理および第２の処理のうちの少なくとも１つを実行するように動作する回路１５０１と、ＴＴＩ内の物理リソースユニットにおいて処理されたダウンリンク信号を第１のユーザ機器に送信するように動作する送信部１５０２と、第２のユーザ機器から物理リソースユニットにおいてアップリンク信号を受信するように動作する受信部１５０３と、を含む。第１の処理は、物理リソースユニット内の衝突したリソース要素の少なくとも一部の各々に割り当てられたダウンリンク信号とアップリンク信号との間に符号分割多重（ＣＤＭ）が適用されるように実行されるために使用され、衝突したリソース要素の各々は、少なくとも一方が参照信号であるダウンリンク信号とアップリンク信号の両方を割り当てられる。そして、第２の処理は、衝突したリソース要素の中のアップリンク参照信号を割り当てられたリソース要素に割り当てられるダウンリンク信号の少なくとも一部を抑制することを備える。
【０１１８】
本実施形態に係る基地局１５００は、基地局１５００内の様々なデータを処理し、それぞれのユニットの動作を制御するために関連プログラムを実行するためのＣＰＵ（中央処理装置）１５１０、ＣＰＵ１５１０により様々な処理および制御を実行するために必要な様々なプログラムを記憶するためのＲＯＭ（読出し専用メモリ）１５１３、ＣＰＵ１５１０による処理および制御の手順において一時的に生成された中間データを記憶するためのＲＡＭ（ランダムアクセスメモリ）１５１５、ならびに／または様々なプログラム、データなどを記憶するためのストレージユニット１５１７をさらに含んでもよい。上記の回路１５０１、送信部１５０２、受信部１５０３、ＣＰＵ１５１０、ＲＯＭ１５１３、ＲＡＭ１５１５、および／またはストレージユニット１５１７などは、データおよび／またはコマンドバス１５２０を介して相互接続され、互いの間で信号を転送することができる。
【０１１９】
上述されたそれぞれのユニットは、本開示の範囲を限定するものではない。本開示の一実施形態によれば、上記の回路１５０１、送信部１５０２、および受信部１５０３の機能は、ハードウェアによって実装されてもよく、上記のＣＰＵ１５１０、ＲＯＭ１５１３、ＲＡＭ１５１５、および／またはストレージユニット１５１７は、必要でなくてもよい。あるいは、上記の回路１５０１、送信部１５０２、および／または受信部１５０３の機能の一部またはすべては、上記のＣＰＵ１５１０、ＲＯＭ１５１３、ＲＡＭ１５１５、および／またはストレージユニット１５１７などと組み合わされた機能ソフトウェアによって実装されてもよい。
【０１２０】
具体的には、基地局１５００は、図４に示されたｅＮＢ４１０であってもよい。すなわち、図４（Ａ）に示されたようなケースの場合、基地局１５００は、ＵＥ２とともに、上述されたワイヤレス通信方法３０を実行することができる。また、図４（Ｂ）に示されたケースの場合、基地局１５００は、ＵＥ１とともに、上述されたワイヤレス通信方法３０を実行することができる。上述されたように、基地局１５００は、ｅＮＢ以外の他のタイプの基地局であってもよい。
【０１２１】
本開示の一実施形態によれば、図１５に示された基地局１５００では、第１の処理または第２の処理は、第１のユーザ機器が第２のユーザ機器と同じであるか異なるかに応じて、異なる。
【０１２２】
本開示の一実施形態によれば、図１５に示された基地局１５００では、第１のユーザ機器は第２のユーザ機器と異なり、衝突したリソース要素の少なくとも一部は、衝突したリソース要素の中のアップリンク参照信号を割り当てられたリソース要素のみである。そして、第１の処理は、衝突したリソース要素の中のアップリンク参照信号を割り当てられたリソース要素を少なくとも１つのグループにグループ化することと、グループごとに、グループのリソース要素に割り当てられたダウンリンク信号に一対の直交符号のうちの一方を適用することとを備え、一対の直交符号のうちの他方は、第２のユーザ機器において、グループのリソース要素に割り当てられたアップリンク参照信号に適用される。
【０１２３】
本開示の一実施形態によれば、図１５に示された基地局１５００では、第１のユーザ機器および第２の機器は同じユーザ機器であり、衝突したリソース要素の少なくとも一部は、衝突したリソース要素のすべてである。そして、第１の処理は、衝突したリソース要素の中のアップリンク参照信号を割り当てられたリソース要素を少なくとも１つのグループにグループ化し、グループごとに、グループのリソース要素に割り当てられたダウンリンク信号に一対の直交符号のうちの一方を適用することであって、一対の直交符号のうちの他方は、第２のユーザ機器において、グループのリソース要素に割り当てられたアップリンク参照信号に適用されることと、衝突したリソース要素の中のアップリンク参照信号およびダウンリンク参照信号のうちのダウンリンク参照信号のみを割り当てられたリソース要素を少なくとも１つのグループにグループ化し、グループごとに、グループのリソース要素に割り当てられたダウンリンク参照信号に一対の直交符号のうちの一方を適用することであって、一対の直交符号のうちの他方は、第２のユーザ機器において、グループのリソース要素に割り当てられたアップリンク信号に適用されることと、を備える。
【０１２４】
本開示の一実施形態によれば、図１５に示された基地局１５００では、リソース要素をグループ化することは、物理リソースユニット内のリソース要素の位置、および、リソース要素に割り当てられた参照信号のタイプのうちの少なくとも１つに基づく。
【０１２５】
本開示の一実施形態によれば、図１５に示された基地局１５００では、第１の処理は、物理リソースユニット内の周波数リソースユニットごとに、アップリンク参照信号を割り当てられたリソース要素を少なくとも１つのグループにグループ化することであって、各グループは時間領域においてＮ個の最も近いリソース要素を備え、Ｎは１より大きい整数であることと、グループごとに、グループのリソース要素に割り当てられたダウンリンク信号に一対の直交符号のうちの一方を適用することであって、一対の直交符号のうちの他方は、第２のユーザ機器において、グループのリソース要素に割り当てられたアップリンク参照信号に適用され、一対の直交符号の各直交符号の長さはＮに等しいことと、を備える。
【０１２６】
本開示の一実施形態によれば、図１５に示された基地局１５００では、第１のユーザ機器は第２のユーザ機器と異なり、衝突したリソース要素の中のアップリンク参照信号を割り当てられたリソース要素に割り当てられるダウンリンク信号の少なくとも一部を抑制することは、衝突したリソースの中のアップリンク参照信号を割り当てられたリソース要素に割り当てられるダウンリンク信号のすべてを抑制すること、を備える。
【０１２７】
本開示の一実施形態によれば、図１５に示された基地局１５００では、第１のユーザ機器および第２の機器は同じユーザ機器である。そして、衝突したリソース要素の中のアップリンク参照信号を割り当てられたリソース要素に割り当てられるダウンリンク信号の少なくとも一部を抑制することは、衝突したリソース要素の中のアップリンク参照信号およびダウンリンク参照信号のうちのアップリンク参照信号のみを割り当てられたリソース要素に割り当てられるダウンリンク信号を抑制することと、衝突したリソース要素の中のダウンリンク参照信号とアップリンク参照信号の両方を割り当てられたリソース要素の各々に対して、リソース要素に割り当てられたダウンリンク参照信号の優先度が、リソース要素に割り当てられたアップリンク参照信号の優先度よりも低い場合、ダウンリンク参照信号を抑制することと、そうでない場合、第２のユーザ機器においてアップリンク参照信号が抑制されることと、を備える。そして、第２の処理が実行される場合、衝突したリソース要素の中のアップリンク参照信号およびダウンリンク参照信号のうちのダウンリンク参照信号のみを割り当てられたリソース要素に割り当てられるアップリンク信号は、第２のユーザ機器において抑制される。
【０１２８】
本開示の一実施形態によれば、図１５に示された基地局１５００では、物理リソースユニット内の衝突したリソース要素に対して第１の処理が実行されるか第２の処理が実行されるかは、衝突したリソース要素に割り当てられた参照信号のタイプに基づいて判定される。
【０１２９】
図１５に示された基地局１５００では、第１の処理（ＣＤＭ）もしくは第２の処理（信号抑制）またはそれらの組合せを実行することにより、全二重通信におけるＵＬチャネルとＤＬチャネルとの間の参照信号に対する干渉を低減することができ、したがって、復調／チャネル推定性能が向上し、高いスペクトル効率が維持される。
【０１３０】
本開示のさらなる実施形態では、図１６に示されたユーザ機器１６００が提供される。図１６は、本開示の別の実施形態に係るユーザ機器１６００のブロック図を概略的に示す。
【０１３１】
図１６に示されたように、ユーザ機器１６００は、基地局から第１のダウンリンク信号を受信するように動作する受信部１６０１と、基地局に第２のアップリンク信号を送信するように動作する送信部１６０２と、を含む。１つの送信時間間隔（ＴＴＩ）に対応する全二重モードにおける物理リソースユニットにおいて、第１のダウンリンク信号が受信され、および／または、第２のアップリンク信号が送信される場合、物理リソースユニット内の衝突したリソース要素の少なくとも一部に、符号分割多重（ＣＤＭ）および信号抑制のうちの少なくとも１つが適用され、衝突したリソース要素の各々は、少なくとも一方が参照信号であるダウンリンク信号とアップリンク信号の両方を割り当てられる。
【０１３２】
本実施形態に係るユーザ機器１６００は、ユーザ機器１６００内の様々なデータを処理し、それぞれのユニットの動作を制御するために関連プログラムを実行するためのＣＰＵ（中央処理装置）１６１０、ＣＰＵ１６１０により様々な処理および制御を実行するために必要な様々なプログラムを記憶するためのＲＯＭ（読出し専用メモリ）１６１３、ＣＰＵ１６１０による処理および制御の手順において一時的に生成された中間データを記憶するためのＲＡＭ（ランダムアクセスメモリ）１６１５、ならびに／または様々なプログラム、データなどを記憶するためのストレージユニット１６１７をさらに含んでもよい。上記の受信部１６０１、送信部１６０２、ＣＰＵ１６１０、ＲＯＭ１６１３、ＲＡＭ１６１５、および／またはストレージユニット１６１７などは、データおよび／またはコマンドバス１６２０を介して相互接続され、互いの間で信号を転送することができる。
【０１３３】
上述されたそれぞれのユニットは、本開示の範囲を限定するものではない。本開示の一実施形態によれば、上記の受信部１６０１および送信部１６０２の機能は、ハードウェアによって実装されてもよく、上記のＣＰＵ１６１０、ＲＯＭ１６１３、ＲＡＭ１６１５、および／またはストレージユニット１６１７は、必要でなくてもよい。あるいは、上記の受信部１６０１および送信部１６０２の機能の一部またはすべては、上記のＣＰＵ１６１０、ＲＯＭ１６１３、ＲＡＭ１６１５、および／またはストレージユニット１６１７などと組み合わされた機能ソフトウェアによって実装されてもよい。
【０１３４】
具体的には、ユーザ機器１６００は、図４（Ｂ）に示されたＵＥ１または図４（Ａ）に示されたＵＥ２であってもよく、ｅＮＢ４１０とともに、上述されたワイヤレス通信方法３０を実行することができる。
【０１３５】
本開示の一実施形態によれば、図１６に示されたユーザ機器１６００では、受信部は、基地局から物理リソースユニットにおいて第１のダウンリンク信号を受信し、第１のアップリンク信号は、ユーザ機器と異なる第２のユーザ機器から物理リソースユニットにおいて送信され、基地局から送信される前に、第１のダウンリンク信号は、基地局において第１の処理および第２の処理のうちの少なくとも１つを実行される。そして、第１の処理は、物理リソースユニット内の衝突したリソース要素の少なくとも一部の各々に割り当てられた第１のダウンリンク信号と第１のアップリンク信号との間にＣＤＭが適用されるように実行されるために使用され、衝突したリソース要素の各々は、少なくとも一方が参照信号である第１のダウンリンク信号と第１のアップリンク信号の両方を割り当てられ、第２の処理は、衝突したリソース要素の中のアップリンク参照信号を割り当てられたリソース要素に割り当てられる第１のダウンリンク信号を抑制することを備える。
【０１３６】
具体的には、本実施形態では、ユーザ機器１６００は、図４（Ａ）に示されたケースではＵＥ１として機能し、第２のユーザ機器はＵＥ２に相当し、基地局はｅＮＢ４１０に相当する。この場合、ＵＥ１は、全二重モードで、ＰＲＢにおいてｅＮＢ４１０から第１のダウンリンク信号を受信する。ＰＲＢでは、ｅＮＢ４１０からの第１のダウンリンク信号およびＵＥ２からの第１のアップリンク信号は全二重で動作する。また、上述されたように、第１のダウンリンク信号および第１のアップリンク信号は異なるＵＥ向けなので、ＵＥ２からのＵＬ  ＲＳのみが保護される必要がある。したがって、ＵＬ  ＲＳにおける干渉を低減するために、ＰＲＢ内のＵＬ  ＲＳを割り当てられた衝突したＲＥにＣＤＭまたは信号抑制が適用される。ＵＥ１側では、ＲＳにおける干渉を低減するためにいかなる処理も実行する必要はないが、第１のダウンリンク信号を復調するために、ｅＮＢ４１０からの第１のダウンリンク信号に対して実行される具体的な処理を知る必要がある。上述されたように、ｅＮＢ４１０は、暗黙的または明示的なシグナリングにより、ＵＥ１に具体的な処理の関連情報をシグナリングすることができる。
【０１３７】
本開示の一実施形態によれば、図１６に示されたユーザ機器１６００では、送信部は、基地局に物理リソースユニットにおいて第２のアップリンク信号を送信し、第２のダウンリンク信号は、基地局からユーザ機器と異なる第２のユーザ機器に物理リソースユニットにおいて送信される。そして、図１６には示されていないが、ユーザ機器は、第１の処理が基地局において第２のダウンリンク信号に対して実行される場合、送信前に第２のアップリンク信号に対して第１の処理を実行するように動作する回路、をさらに備えてもよい。そして、基地局から送信される前に、第２のダウンリンク信号は、基地局において第１の処理および第２の処理のうちの少なくとも１つを実行される。第１の処理は、物理リソースユニット内の衝突したリソース要素の各々に割り当てられた第２のダウンリンク信号と第２のアップリンク信号との間にＣＤＭが適用されるように実行されるために使用され、衝突したリソース要素の各々は、少なくとも一方が参照信号である第２のダウンリンク信号と第２のアップリンク信号の両方を割り当てられ、第２の処理は、衝突したリソース要素の中のアップリンク参照信号を割り当てられたリソース要素に割り当てられる第２のダウンリンク信号を抑制することを備える。
【０１３８】
具体的には、本実施形態では、ユーザ機器１６００は、図４（Ａ）に示されたケースではＵＥ２として機能し、第２のユーザ機器はＵＥ１に相当し、基地局はｅＮＢ４１０に相当する。この場合、ＵＥ２は、全二重モードで、ＰＲＢにおいてｅＮＢ４１０に第２のアップリンク信号を送信し、ｅＮＢ４１０は、ＵＥ１にＰＲＢにおいて第２のダウンリンク信号を送信する。したがって、ＰＲＢでは、ｅＮＢ４１０からの第２のダウンリンク信号およびＵＥ２からの第２のアップリンク信号は全二重で動作する。また、上述されたように、第２のダウンリンク信号および第２のアップリンク信号は異なるＵＥ向けなので、ＵＥ２からのＵＬ  ＲＳのみが保護される必要がある。したがって、ＵＬ  ＲＳにおける干渉を低減するために、ＰＲＢ内のＵＬ  ＲＳを割り当てられた衝突したＲＥにＣＤＭまたは信号抑制が適用される。第１の処理（ＣＤＭ）がｅＮＢ４１０において実行される場合、第１の処理（ＣＤＭ）はＵＥ２においても実行され、その結果、ＰＲＢ内でＵＬ  ＲＳを割り当てられた衝突ＲＥに割り当てられた第２のダウンリンク信号と第２のアップリンク信号との間にＣＤＭが適用されてもよい。そうでなく、第２の処理（信号抑制）がｅＮＢ４１０において実行される場合、すなわち、ＰＲＢ内でＵＬ  ＲＳを割り当てられた衝突したＲＥに割り当てられるＤＬ信号がＵＬ  ＲＳを保護するために抑制される場合、ＵＥ２は送信前に第２のアップリンク信号に対していかなる処理も行う必要がない。上述されたように、ｅＮＢ４１０は、ｅＮＢ４１０において第１の処理が実行されるか第２の処理が実行されるかなどに関する関連情報を、暗黙的または明示的なシグナリングによってＵＥ２にシグナリングすることができる。
【０１３９】
本開示の一実施形態によれば、図１６に示されたユーザ機器１６００では、受信部は、基地局から物理リソースユニットにおいて第１のダウンリンク信号を受信し、送信部は、基地局に物理リソースユニットにおいて第２のアップリンク信号を送信する。そして、図１６には示されていないが、ユーザ機器は、送信前に第２のアップリンク信号に対して第１の処理および第２の処理のうちの少なくとも１つを実行するように動作する回路をさらに備える。第１の処理は、物理リソースユニット内の衝突したリソース要素の各々に割り当てられた第１のダウンリンク信号と第２のアップリンク信号との間にＣＤＭが適用されるように実行されるために使用され、衝突したリソース要素の各々は、少なくとも一方が参照信号である第１のダウンリンク信号と第２のアップリンク信号の両方を割り当てられ、第２の処理は、衝突したリソース要素の中の第１のダウンリンク参照信号を割り当てられたリソース要素に割り当てられる第２のアップリンク信号の少なくとも一部を抑制することを備える。
【０１４０】
具体的には、本実施形態では、ユーザ機器１６００は、図４（Ｂ）に示されたケースではＵＥ１として機能し、基地局はｅＮＢ４１０に相当する。この場合、ＵＥ１は、全二重モードで、ＰＲＢにおいてｅＮＢ４１０に第２のアップリンク信号を送信し、ｅＮＢ４１０は、ＵＥ１にＰＲＢにおいて第１のダウンリンク信号を送信する。したがって、ＰＲＢでは、ｅＮＢ４１０からの第１のダウンリンク信号およびＵＥ１からの第２のアップリンク信号は全二重で動作する。また、上述されたように、第１のダウンリンク信号および第２のアップリンク信号は同じＵＥ向けなので、ＵＥ１からのＵＬ  ＲＳとｅＮＢ４１０からのＤＬ  ＲＳの両方が保護される必要がある。したがって、ＵＬ  ＲＳおよびＤＬ  ＲＳにおける干渉を低減するために、ＰＲＢ内のＵＬ  ＲＳおよびＤＬ  ＲＳのうちの少なくとも１つを割り当てられた衝突したＲＥにＣＤＭまたは信号抑制が適用される。
【０１４１】
本開示の一実施形態によれば、図１６に示されたユーザ機器１６００では、第１の処理は、衝突したリソース要素の中のダウンリンク参照信号を割り当てられたリソース要素を少なくとも１つのグループにグループ化し、グループごとに、グループのリソース要素に割り当てられた第２のアップリンク信号に一対の直交符号のうちの一方を適用することであって、一対の直交符号のうちの他方は、基地局において、グループのリソース要素に割り当てられたダウンリンク参照信号に適用されることと、衝突したリソース要素の中のアップリンク参照信号およびダウンリンク参照信号のうちのアップリンク参照信号のみを割り当てられたリソース要素を少なくとも１つのグループにグループ化し、グループごとに、グループのリソース要素に割り当てられたアップリンク参照信号に一対の直交符号のうちの一方を適用することであって、一対の直交符号のうちの他方は、基地局において、グループのリソース要素に割り当てられた第１のダウンリンク信号に適用されることと、を備える。
【０１４２】
本開示の一実施形態によれば、図１６に示されたユーザ機器１６００では、衝突したリソース要素の中の第１のダウンリンク参照信号を割り当てられたリソース要素に割り当てられる第２のアップリンク信号の少なくとも一部を抑制することは、衝突したリソース要素の中のアップリンク参照信号およびダウンリンク参照信号のうちのダウンリンク参照信号のみを割り当てられたリソース要素に割り当てられる第２のアップリンク信号を抑制することと、衝突したリソース要素の中のダウンリンク参照信号とアップリンク参照信号の両方を割り当てられたリソース要素の各々に対して、リソース要素に割り当てられたアップリンク参照信号の優先度が、リソース要素に割り当てられたダウンリンク参照信号の優先度よりも低い場合、アップリンク参照信号を抑制することと、そうでない場合、基地局においてダウンリンク参照信号が抑制されることと、を備える。
【０１４３】
本開示の一実施形態によれば、図１６に示されたユーザ機器１６００では、物理リソースユニット内の衝突したリソース要素に対して第１の処理が実行されるか第２の処理が実行されるかは、衝突したリソース要素に割り当てられた参照信号のタイプに基づいて判定される。
【０１４４】
本開示の一実施形態によれば、図１６に示されたユーザ機器１６００では、ＴＡ（タイムアドバンス）値をさらに考慮に入れることにより、第１の処理または第２の処理が実行される。
【０１４５】
本開示の一実施形態によれば、図１６に示されたユーザ機器１６００では、第１の処理は、物理リソースユニット内の衝突した各リソース要素における第１のダウンリンク信号と、衝突した各リソース要素から時間領域においてＴＡ値の分遅延した位置にあるリソース要素に割り当てられた第２のアップリンク信号との間にＣＤＭが適用されるようにさらに実行されるために使用され、第２の処理は、衝突したリソース要素内のダウンリンク参照信号を割り当てられたリソース要素から時間領域においてＴＡ値の分遅延した位置にあるリソース要素に割り当てられる第２のアップリンク信号を抑制することをさらに備える。
【０１４６】
図１６に示されたユーザ機器１６００では、第１の処理（ＣＤＭ）もしくは第２の処理（信号抑制）またはそれらの組合せを実行することにより、全二重通信におけるＵＬチャネルとＤＬチャネルとの間の参照信号に対する干渉を低減することができ、したがって、復調／チャネル推定性能が向上し、高いスペクトル効率が維持される。
【０１４７】
本開示は、ソフトウェア、ハードウェア、またはハードウェアと協働するソフトウェアによって実現することができる。上述された各実施形態の説明で使用された各機能ブロックは、集積回路としてのＬＳＩによって実現することができ、各実施形態に記載された各プロセスは、ＬＳＩによって制御されてもよい。それらはチップとして個別に形成されてもよく、１つのチップは機能ブロックの一部またはすべてを含むように形成されてもよい。それらは、それらに結合されたデータ入出力を含んでもよい。本明細書におけるＬＳＩは、集積度の違いに応じて、ＩＣ、システムＬＳＩ、スーパーＬＳＩ、またはウルトラＬＳＩと呼ばれてもよい。しかしながら、集積回路を実装する技法は、ＬＳＩに限定されず、専用回路または汎用プロセッサを使用して実現されてもよい。加えて、ＬＳＩの製造後にプログラムすることができるＦＰＧＡ（フィールドプログラマブルゲートアレイ）、またはＬＳＩ内部に配置された回路セルの接続および設定を再構成することができる再構成可能プロセッサが使用されてもよい。
【０１４８】
本開示は、本開示の内容および範囲から逸脱することなく、明細書および既知の技法に提示された説明に基づいて、当業者によって様々に変更または修正されるものであり、そのような変更および適用は、保護されるように主張された範囲内にあることに留意されたい。さらに、本開示の内容から逸脱しない範囲で、上述された実施形態の構成要素は、任意に組み合わされてもよい。
【０１４９】
本開示の実施形態は、少なくとも以下の主題を提供することができる。
【０１５０】
（１）．１つの送信時間間隔（ＴＴＩ）に対応する全二重モードにおける物理リソースユニットにおいて送信されるダウンリンク信号に対して、第１の処理および第２の処理のうちの少なくとも１つを実行するように動作する回路と、
ＴＴＩ内の物理リソースユニットにおいて処理されたダウンリンク信号を第１のユーザ機器に送信するように動作する送信部と、
第２のユーザ機器から物理リソースユニットにおいてアップリンク信号を受信するように動作する受信部と
を備える、基地局であって、
第１の処理は、物理リソースユニット内の衝突したリソース要素の少なくとも一部の各々に割り当てられたダウンリンク信号とアップリンク信号との間に符号分割多重（ＣＤＭ）が適用されるように実行されるために使用され、衝突したリソース要素の各々は、少なくとも一方が参照信号であるダウンリンク信号とアップリンク信号の両方を割り当てられ、
第２の処理は、衝突したリソース要素の中のアップリンク参照信号を割り当てられたリソース要素に割り当てられるダウンリンク信号の少なくとも一部を抑制することを備える、
基地局。
【０１５１】
（２）．第１の処理または第２の処理は、第１のユーザ機器が第２のユーザ機器と同じであるか異なるかに応じて、異なる、（１）に記載の基地局。
【０１５２】
（３）．第１のユーザ機器は第２のユーザ機器と異なり、衝突したリソース要素の少なくとも一部は、衝突したリソースの中のアップリンク参照信号を割り当てられたリソース要素のみであり、
第１の処理は、
衝突したリソース要素の中のアップリンク参照信号を割り当てられたリソース要素を少なくとも１つのグループにグループ化することと、
グループごとに、グループのリソース要素に割り当てられたダウンリンク信号に一対の直交符号のうちの一方を適用することであって、一対の直交符号のうちの他方は、第２のユーザ機器において、グループのリソース要素に割り当てられたアップリンク参照信号に適用されることと、
を備える、（２）に記載の基地局。
【０１５３】
（４）．第１のユーザ機器および第２の機器は同じユーザ機器であり、衝突したリソース要素の少なくとも一部は衝突したリソース要素のすべてであり、
第１の処理は、
衝突したリソース要素の中のアップリンク参照信号を割り当てられたリソース要素を少なくとも１つのグループにグループ化し、グループごとに、グループのリソース要素に割り当てられたダウンリンク信号に一対の直交符号のうちの一方を適用することであって、一対の直交符号のうちの他方は、第２のユーザ機器において、グループのリソース要素に割り当てられたアップリンク参照信号に適用されることと、
衝突したリソース要素の中のアップリンク参照信号およびダウンリンク参照信号のうちのダウンリンク参照信号のみを割り当てられたリソース要素を少なくとも１つのグループにグループ化し、グループごとに、グループのリソース要素に割り当てられたダウンリンク参照信号に一対の直交符号のうちの一方を適用することであって、一対の直交符号のうちの他方は、第２のユーザ機器において、グループのリソース要素に割り当てられたアップリンク信号に適用されることと、
を備える、（２）に記載の基地局。
【０１５４】
（５）．リソース要素をグループ化することは、物理リソースユニット内のリソース要素の位置、および、リソース要素に割り当てられた参照信号のタイプのうちの少なくとも１つに基づく、（３）または（４）に記載の基地局。
【０１５５】
（６）．第１の処理は、
物理リソースユニット内の周波数リソースユニットごとに、アップリンク参照信号を割り当てられたリソース要素を少なくとも１つのグループにグループ化することであって、各グループは時間領域においてＮ個の最も近いリソース要素を備え、Ｎは１より大きい整数であることと、
グループごとに、グループのリソース要素に割り当てられたダウンリンク信号に一対の直交符号のうちの一方を適用することであって、一対の直交符号のうちの他方は、第２のユーザ機器において、グループのリソース要素に割り当てられたアップリンク参照信号に適用され、一対の直交符号の各直交符号の長さはＮに等しいことと、
を備える、（５）に記載の基地局。
【０１５６】
（７）．第１の処理は、
物理リソースユニット内の周波数リソースユニットごとに、アップリンク参照信号を割り当てられたリソース要素を複数のグループにグループ化することであって、１つのグループは時間領域においてＭ個の最も近いリソース要素を備え、残りのグループの各々は時間領域においてＮ個の最も近いリソース要素を備え、Ｎは１より大きい整数であり、Ｍは０より大きくＮより小さい整数であることと、
残りのグループの各々に対して、グループのリソース要素に割り当てられたダウンリンク信号に一対の直交符号のうちの一方を適用することであって、一対の直交符号のうちの他方は、第２のユーザ機器において、グループのリソース要素に割り当てられたアップリンク参照信号に適用され、一対の直交符号の各直交符号の長さはＮに等しいことと、
１つのグループに対して、１つのグループのＭ個のリソース要素および時間領域においてＭ個のリソース要素に隣接するＮ−Ｍ個のリソース要素に割り当てられたダウンリンク信号に一対の直交符号のうちの一方を適用することであって、一対の直交符号のうちの他方は、第２のユーザ機器において、１つのグループのＭ個のリソース要素に割り当てられたアップリンク参照信号、および時間領域においてＭ個のリソース要素に隣接するＮ−Ｍ個のリソース要素に割り当てられたアップリンク信号に適用されることと、
を備える、（５）に記載の基地局。
【０１５７】
（８）．第１の処理は、
物理リソースユニット内の周波数リソースユニットごとに、アップリンク参照信号およびダウンリンク参照信号のうちのダウンリンク参照信号のみを割り当てられたリソース要素を少なくとも１つのグループにグループ化することであって、各グループは時間領域においてＮ個の最も近いリソース要素を備えることと、
グループごとに、グループのリソース要素に割り当てられたダウンリンク参照信号に一対の直交符号のうちの一方を適用することであって、一対の直交符号のうちの他方は、第２のユーザ機器において、グループのリソース要素に割り当てられたアップリンク信号に適用されることと、
をさらに備える、（６）または（７）に記載の基地局。
【０１５８】
（９）．第１の処理は、
物理リソースユニット内の周波数リソースユニットごとに、アップリンク参照信号およびダウンリンク参照信号のうちのダウンリンク参照信号のみを割り当てられたリソース要素を複数のグループにグループ化することであって、１つのグループは時間領域においてＰ個の最も近いリソース要素を備え、残りのグループの各々は時間領域においてＮ個の最も近いリソース要素を備え、Ｐは０より大きくＮより小さい整数であることと、
残りのグループの各々に対して、グループのリソース要素に割り当てられたダウンリンク参照信号に一対の直交符号のうちの一方を適用することであって、一対の直交符号のうちの他方は、第２のユーザ機器において、グループのリソース要素に割り当てられたアップリンク信号に適用されることと、
１つのグループに対して、１つのグループのＰ個のリソース要素に割り当てられたダウンリンク参照信号および時間領域においてＰ個のリソース要素に隣接するＮ−Ｐ個のリソース要素に割り当てられたダウンリンク信号に一対の直交符号のうちの一方を適用することであって、一対の直交符号のうちの他方は、第２のユーザ機器において、１つのグループのＰ個のリソース要素および時間領域においてＰ個のリソース要素に隣接するＮ−Ｐ個のリソース要素に割り当てられたアップリンク信号に適用されることと、
をさらに備える、（６）または（７）に記載の基地局。
【０１５９】
（１０）．物理リソースユニットにおいて受信されるアップリンク信号は複数のタイプのアップリンク参照信号を備え、
アップリンク参照信号のタイプごとに、第１の処理は、
物理リソースユニット内の周波数リソースユニットごとに、アップリンク参照信号のタイプを割り当てられたリソース要素を少なくとも１つのグループにグループ化することであって、各グループは時間領域においてＮ個の最も近いリソース要素を備え、Ｎは１より大きい整数であることと、
グループごとに、グループのリソース要素に割り当てられたダウンリンク信号に一対の直交符号のうちの一方を適用することであって、一対の直交符号のうちの他方は、第２のユーザ機器において、グループのリソース要素に割り当てられたアップリンク参照信号のタイプに適用され、一対の直交符号の各直交符号の長さはＮに等しいことと、
を備える、（５）に記載の基地局。
【０１６０】
（１１）．物理リソースユニットにおいて受信されるアップリンク信号は複数のタイプのアップリンク参照信号を備え、
アップリンク参照信号のタイプごとに、第１の処理は、
物理リソースユニット内の周波数リソースユニットごとに、アップリンク参照信号のタイプを割り当てられたリソース要素を複数のグループにグループ化することであって、１つのグループは時間領域においてＭ個の最も近いリソース要素を備え、残りのグループの各々は時間領域においてＮ個の最も近いリソース要素を備え、Ｎは１より大きい整数であり、Ｍは０より大きくＮより小さい整数であることと、
残りのグループの各々に対して、グループのリソース要素に割り当てられたダウンリンク信号に一対の直交符号のうちの一方を適用することであって、一対の直交符号のうちの他方は、第２のユーザ機器において、グループのリソース要素に割り当てられたアップリンク参照信号のタイプに適用されることと、
１つのグループに対して、１つのグループのＭ個のリソース要素および時間領域においてＭ個のリソース要素に隣接するＮ−Ｍ個のリソース要素に割り当てられたダウンリンク信号に一対の直交符号のうちの一方を適用することであって、一対の直交符号のうちの他方は、第２のユーザ機器において、１つのグループのＭ個のリソース要素に割り当てられたアップリンク参照信号のタイプ、および時間領域においてＭ個のリソース要素に隣接するＮ−Ｍ個のリソース要素に割り当てられたアップリンク信号に適用されることと、
を備える、（５）に記載の基地局。
【０１６１】
（１２）．物理リソースユニットにおいて送信されるダウンリンク信号は複数のタイプのダウンリンク参照信号を備え、
ダウンリンク参照信号のタイプごとに、第１の処理は、
物理リソースユニット内の周波数リソースユニットごとに、ダウンリンク参照信号のタイプを割り当てられたリソース要素を少なくとも１つのグループにグループ化することであって、各グループは時間領域においてＮ個の最も近いリソース要素を備えることと、
グループごとに、グループのリソース要素に割り当てられたダウンリンク参照信号のタイプに一対の直交符号のうちの一方を適用することであって、一対の直交符号のうちの他方は、第２のユーザ機器において、グループのリソース要素に割り当てられたアップリンク信号に適用されることと、
をさらに備える、（１０）または（１１）に記載の基地局。
【０１６２】
（１３）．物理リソースユニットにおいて送信されるダウンリンク信号は複数のタイプのダウンリンク参照信号を備え、
ダウンリンク参照信号のタイプごとに、第１の処理は、
物理リソースユニット内の周波数リソースユニットごとに、ダウンリンク参照信号のタイプを割り当てられたリソース要素を複数のグループにグループ化することであって、１つのグループは時間領域においてＰ個の最も近いリソース要素を備え、残りのグループの各々は時間領域においてＮ個の最も近いリソース要素を備え、Ｐは０より大きくＮより小さい整数であることと、
残りのグループの各々に対して、グループのリソース要素に割り当てられたダウンリンク参照信号のタイプに一対の直交符号のうちの一方を適用することであって、一対の直交符号のうちの他方は、第２のユーザ機器において、グループのリソース要素に割り当てられたアップリンク信号に適用されることと、
１つのグループに対して、１つのグループのＰ個のリソース要素に割り当てられたダウンリンク参照信号のタイプおよび時間領域においてＰ個のリソース要素に隣接するＮ−Ｐ個のリソース要素に割り当てられたダウンリンク参照信号に一対の直交符号のうちの一方を適用することであって、一対の直交符号のうちの他方は、第２のユーザ機器において、１つのグループのＰ個のリソース要素および時間領域においてＰ個のリソース要素に隣接するＮ−Ｐ個のリソース要素に割り当てられたアップリンク信号に適用されることと、
をさらに備える、（１０）または（１１）に記載の基地局。
【０１６３】
（１４）．第１の処理は、時間領域、周波数領域、および符号領域のうちの１つで実行される、（１）に記載の基地局。
【０１６４】
（１５）．第１の処理は時間領域において実行され、第１の処理はＴＴＩごとに変更される、（１４）に記載の基地局。
【０１６５】
（１６）．第１の処理は周波数領域において実行され、第１の処理は、同じＴＴＩ内で周波数単位ごとに変更される、（１４）に記載の基地局。
【０１６６】
（１７）．第１のユーザ機器は第２のユーザ機器と異なり、衝突したリソース要素の中のアップリンク参照信号を割り当てられたリソース要素に割り当てられるダウンリンク信号の少なくとも一部を抑制することは、
衝突したリソースの中のアップリンク参照信号を割り当てられたリソース要素に割り当てられるダウンリンク信号のすべてを抑制することを備える、
（２）に記載の基地局。
【０１６７】
（１８）．第１のユーザ機器および第２の機器は同じユーザ機器であり、衝突したリソース要素の中のアップリンク参照信号を割り当てられたリソース要素に割り当てられるダウンリンク信号の少なくとも一部を抑制することは、
衝突したリソース要素の中のアップリンク参照信号およびダウンリンク参照信号のうちのアップリンク参照信号のみを割り当てられたリソース要素に割り当てられるダウンリンク信号を抑制することと、
衝突したリソース要素の中のダウンリンク参照信号とアップリンク参照信号の両方を割り当てられたリソース要素の各々に対して、
リソース要素に割り当てられたダウンリンク参照信号の優先度が、リソース要素に割り当てられたアップリンク参照信号の優先度よりも低い場合、ダウンリンク参照信号を抑制することと、
そうでない場合、アップリンク参照信号は第２のユーザ機器において抑制されることと、
を備え、
第２の処理が実行される場合、衝突したリソース要素の中のアップリンク参照信号およびダウンリンク参照信号のうちのダウンリンク参照信号のみを割り当てられたリソース要素に割り当てられるアップリンク信号は第２のユーザ機器において抑制される、
（２）に記載の基地局。
【０１６８】
（１９）．抑制は、レートマッチングによってリソース要素に信号を割り当てないこと、リソース要素において信号をパンクチャリングすること、リソース要素における信号の電力をゼロに削減すること、リソース要素における信号の電力をより小さい値に削減することのうちの１つによって実施される、（１）に記載の基地局。
【０１６９】
（２０）．抑制された信号は、リソース要素とは異なる別のリソース要素にさらに再割当てされる、（１９）に記載の基地局。
【０１７０】
（２１）．第２の処理はＴＴＩごとに変更される、（１）に記載の基地局。
【０１７１】
（２２）．物理リソースユニット内の衝突したリソース要素に対して第１の処理が実行されるか第２の処理が実行されるかは、衝突したリソース要素に割り当てられた参照信号のタイプに基づいて判定される、（１）に記載の基地局。
【０１７２】
（２３）．第１のユーザ機器および第２のユーザ機器が同じユーザ機器であるか異なるユーザ機器であるかは、暗黙的な方法または明示的な方法で基地局から第１のユーザ機器および／または第２のユーザ機器にシグナリングされる、（１）に記載の基地局。
【０１７３】
（２４）．第１の処理および／または第２の処理が実行されたかどうか、第１の処理または第２の処理の具体的な設定、ならびに第１の処理および／または第２の処理の禁止は、明示的な方法で基地局から第１のユーザ機器および／または第２のユーザ機器にシグナリングされる、（１）に記載の基地局。
【０１７４】
（２５）．アップリンク信号によって使用される波形およびダウンリンクの信号によって使用される波形は、互いに同じであるか、または異なる、（１）に記載の基地局。
【０１７５】
（２６）．第１の処理または第２の処理を実行される衝突したリソース要素の１つまたは複数の隣接リソース要素は、波形技法に基づいて確保される、（２５）に記載の基地局。
【０１７６】
（２７）．基地局から第１のダウンリンク信号を受信するように動作する受信部と、
基地局に第２のアップリンク信号を送信するように動作する送信部と、
を備え、
１つの送信時間間隔（ＴＴＩ）に対応する全二重モードにおける物理リソースユニットにおいて、第１のダウンリンク信号が受信され、および／または第２のアップリンク信号が送信される場合、物理リソースユニット内の衝突したリソース要素の少なくとも一部に、符号分割多重（ＣＤＭ）および信号抑制のうちの少なくとも１つが適用され、衝突したリソース要素の各々は、少なくとも一方が参照信号であるダウンリンク信号とアップリンク信号の両方を割り当てられる、
ユーザ機器。
【０１７７】
（２８）．受信部は、基地局から物理リソースユニットにおいて第１のダウンリンク信号を受信し、第１のアップリンク信号は、ユーザ機器と異なる第２のユーザ機器から物理リソースユニットにおいて送信され、
基地局から送信される前に、第１のダウンリンク信号は、基地局において第１の処理および第２の処理のうちの少なくとも１つを実行され、
第１の処理は、物理リソースユニット内の衝突したリソース要素の少なくとも一部の各々に割り当てられた第１のダウンリンク信号と第１のアップリンク信号との間にＣＤＭが適用されるように実行されるために使用され、衝突したリソース要素の各々は、少なくとも一方が参照信号である第１のダウンリンク信号と第１のアップリンク信号の両方を割り当てられ、
第２の処理は、衝突したリソース要素の中のアップリンク参照信号を割り当てられたリソース要素に割り当てられる第１のダウンリンク信号を抑制することを備える、
（２７）に記載のユーザ機器。
【０１７８】
（２９）．送信部は、基地局に物理リソースユニットにおいて第２のアップリンク信号を送信し、第２のダウンリンク信号は、基地局からユーザ機器と異なる第２のユーザ機器に物理リソースユニットにおいて送信され、ユーザ機器は、
第１の処理が基地局において第２のダウンリンク信号に対して実行される場合、送信前に第２のアップリンク信号に対して第１の処理を実行するように動作する回路、
をさらに備え、
基地局から送信される前に、第２のダウンリンク信号は、基地局において第１の処理および第２の処理のうちの少なくとも１つを実行され、
第１の処理は、物理リソースユニット内の衝突したリソース要素の各々に割り当てられた第２のダウンリンク信号と第２のアップリンク信号との間にＣＤＭが適用されるように実行されるために使用され、衝突したリソース要素の各々は、少なくとも一方が参照信号である第２のダウンリンク信号と第２のアップリンク信号の両方を割り当てられ、
第２の処理は、衝突したリソース要素の中のアップリンク参照信号を割り当てられたリソース要素に割り当てられる第２のダウンリンク信号を抑制することを備える、
（２７）に記載のユーザ機器。
【０１７９】
（３０）．受信部は、基地局から物理リソースユニットにおいて第１のダウンリンク信号を受信し、送信部は、基地局に物理リソースユニットにおいて第２のアップリンク信号を送信し、ユーザ機器は、
送信前に第２のアップリンク信号に対して第１の処理および第２の処理のうちの少なくとも１つを実行するように動作する回路、
をさらに備え、
第１の処理は、物理リソースユニット内の衝突したリソース要素の各々に割り当てられた第１のダウンリンク信号と第２のアップリンク信号との間にＣＤＭが適用されるように実行されるために使用され、衝突したリソース要素の各々は、少なくとも一方が参照信号である、第１のダウンリンク信号と第２のアップリンク信号の両方を割り当てられ、
第２の処理は、衝突したリソース要素の中の第１のダウンリンク参照信号を割り当てられたリソース要素に割り当てられる第２のアップリンク信号の少なくとも一部を抑制することを備える、
（２７）に記載のユーザ機器。
【０１８０】
（３１）．第１の処理は、
衝突したリソース要素の中のダウンリンク参照信号を割り当てられたリソース要素を少なくとも１つのグループにグループ化し、グループごとに、グループのリソース要素に割り当てられた第２のアップリンク信号に一対の直交符号のうちの一方を適用することであって、一対の直交符号のうちの他方は、基地局において、グループのリソース要素に割り当てられたダウンリンク参照信号に適用されることと、
衝突したリソース要素の中のアップリンク参照信号およびダウンリンク参照信号のうちのアップリンク参照信号のみを割り当てられたリソース要素を少なくとも１つのグループにグループ化し、グループごとに、グループのリソース要素に割り当てられたアップリンク参照信号に一対の直交符号のうちの一方を適用することであって、一対の直交符号のうちの他方は、基地局において、グループのリソース要素に割り当てられた第１のダウンリンク信号に適用されることと、
を備える、（３０）に記載のユーザ機器。
【０１８１】
（３２）．リソース要素をグループ化することは、物理リソースユニット内のリソース要素の位置、およびリソース要素に割り当てられた参照信号のタイプのうちの少なくとも１つに基づく、（３１）に記載のユーザ機器。
【０１８２】
（３３）．第１の処理は、
物理リソースユニット内の周波数リソースユニットごとに、
アップリンク参照信号を割り当てられたリソース要素を少なくとも１つのグループにグループ化することであって、各グループは時間領域においてＮ個の最も近いリソース要素を備え、Ｎは１より大きい整数であることと、
グループごとに、グループのリソース要素に割り当てられたアップリンク参照信号に一対の直交符号のうちの一方を適用することであって、一対の直交符号のうちの他方は、基地局において、グループのリソース要素に割り当てられた第１のダウンリンク信号に適用され、一対の直交符号の各直交符号の長さはＮに等しいことと、
物理リソースユニット内の周波数リソースユニットごとに、
アップリンク参照信号およびダウンリンク参照信号のうちのダウンリンク参照信号のみを割り当てられたリソース要素を少なくとも１つのグループにグループ化することであって、各グループは時間領域においてＮ個の最も近いリソース要素を備えることと、
グループごとに、グループのリソース要素に割り当てられた第２のアップリンク参照信号に一対の直交符号のうちの一方を適用することであって、一対の直交符号のうちの他方は、基地局において、グループのリソース要素に割り当てられたダウンリンク参照信号に適用されることと、
を備える、（３２）に記載のユーザ機器。
【０１８３】
（３４）．第１の処理は、
物理リソースユニット内の周波数リソースユニットごとに、
アップリンク参照信号を割り当てられたリソース要素を複数のグループにグループ化することであって、１つのグループは時間領域においてＭ個の最も近いリソース要素を備え、残りのグループの各々は時間領域においてＮ個の最も近いリソース要素を備え、Ｎは１より大きい整数であり、Ｍは０より大きくＮより小さい整数であることと、
残りのグループの各々に対して、グループのリソース要素に割り当てられたアップリンク参照信号に一対の直交符号のうちの一方を適用することであって、一対の直交符号のうちの他方は、基地局において、グループのリソース要素に割り当てられた第１のダウンリンク信号に適用され、一対の直交符号の各直交符号の長さはＮに等しいことと、
１つのグループに対して、１つのグループのＭ個のリソース要素に割り当てられたアップリンク参照信号および時間領域においてＭ個のリソース要素に隣接するＮ−Ｍ個のリソース要素に割り当てられた第２のアップリンク信号に一対の直交符号のうちの一方を適用することであって、一対の直交符号のうちの他方は、基地局において、１つのグループのＭ個のリソース要素および時間領域においてＭ個のリソース要素に隣接するＮ−Ｍ個のリソース要素に割り当てられた第１のダウンリンク信号に適用されることと、
物理リソースユニット内の周波数リソースユニットごとに、
アップリンク参照信号およびダウンリンク参照信号のうちのダウンリンク参照信号のみを割り当てられたリソース要素を複数のグループにグループ化することであって、１つのグループは時間領域においてＰ個の最も近いリソース要素を備え、残りのグループの各々は時間領域においてＮ個の最も近いリソース要素を備え、Ｐは０より大きくＮより小さい整数であることと、
残りのグループの各々に対して、グループのリソース要素に割り当てられた第２のアップリンク信号に一対の直交符号のうちの一方を適用することであって、一対の直交符号のうちの他方は、基地局において、グループのリソース要素に割り当てられたダウンリンク参照信号に適用されることと、
１つのグループに対して、１つのグループのＰ個のリソース要素および時間領域においてＰ個のリソース要素に隣接するＮ−Ｐ個のリソース要素に割り当てられた第２のアップリンク信号に一対の直交符号のうちの一方を適用することであって、一対の直交符号のうちの他方は、基地局において、１つのグループのＰ個のリソース要素に割り当てられたダウンリンク参照信号および時間領域においてＰ個のリソース要素に隣接するＮ−Ｐ個のリソース要素に割り当てられた第１のダウンリンク信号に適用されることと、
を備える、（３２）に記載のユーザ機器。
【０１８４】
（３５）．第１の処理は、
物理リソースユニット内の周波数リソースユニットごとに、
アップリンク参照信号を割り当てられたリソース要素を少なくとも１つのグループにグループ化することであって、各グループは時間領域においてＮ個の最も近いリソース要素を備え、Ｎは１より大きい整数であることと、
グループごとに、グループのリソース要素に割り当てられたアップリンク参照信号に一対の直交符号のうちの一方を適用することであって、一対の直交符号のうちの他方は、基地局において、グループのリソース要素に割り当てられた第１のダウンリンク信号に適用され、一対の直交符号の各直交符号の長さはＮに等しいことと、
物理リソースユニット内の周波数リソースユニットごとに、
アップリンク参照信号およびダウンリンク参照信号のうちのダウンリンク参照信号のみを割り当てられたリソース要素を複数のグループにグループ化することであって、１つのグループは時間領域においてＰ個の最も近いリソース要素を備え、残りのグループの各々は時間領域においてＮ個の最も近いリソース要素を備え、Ｐは０より大きくＮより小さい整数であることと、
残りのグループの各々に対して、グループのリソース要素に割り当てられた第２のアップリンク信号に一対の直交符号のうちの一方を適用することであって、一対の直交符号のうちの他方は、基地局において、グループのリソース要素に割り当てられたダウンリンク参照信号に適用されることと、
１つのグループに対して、１つのグループのＰ個のリソース要素および時間領域においてＰ個のリソース要素に隣接するＮ−Ｐ個のリソース要素に割り当てられた第２のアップリンク信号に一対の直交符号のうちの一方を適用することであって、一対の直交符号のうちの他方は、基地局において、１つのグループのＰ個のリソース要素に割り当てられたダウンリンク参照信号および時間領域においてＰ個のリソース要素に隣接するＮ−Ｐ個のリソース要素に割り当てられた第１のダウンリンク信号に適用されることと、
を備える、（３２）に記載のユーザ機器。
【０１８５】
（３６）．第１の処理は、
物理リソースユニット内の周波数リソースユニットごとに、
アップリンク参照信号を割り当てられたリソース要素を複数のグループにグループ化することであって、１つのグループは時間領域においてＭ個の最も近いリソース要素を備え、残りのグループの各々は時間領域においてＮ個の最も近いリソース要素を備え、Ｎは１より大きい整数であり、Ｍは０より大きくＮより小さい整数であることと、
残りのグループの各々に対して、グループのリソース要素に割り当てられたアップリンク参照信号に一対の直交符号のうちの一方を適用することであって、一対の直交符号のうちの他方は、基地局において、グループのリソース要素に割り当てられた第１のダウンリンク信号に適用され、一対の直交符号の各直交符号の長さはＮに等しいことと、
１つのグループに対して、１つのグループのＭ個のリソース要素に割り当てられたアップリンク参照信号および時間領域においてＭ個のリソース要素に隣接するＮ−Ｍ個のリソース要素に割り当てられた第２のアップリンク信号に一対の直交符号のうちの一方を適用することであって、一対の直交符号のうちの他方は、基地局において、１つのグループのＭ個のリソース要素および時間領域においてＭ個のリソース要素に隣接するＮ−Ｍ個のリソース要素に割り当てられた第１のダウンリンク信号に適用されることと、
物理リソースユニット内の周波数リソースユニットごとに、
アップリンク参照信号およびダウンリンク参照信号のうちのダウンリンク参照信号のみを割り当てられたリソース要素を少なくとも１つのグループにグループ化することであって、各グループは時間領域においてＮ個の最も近いリソース要素を備えることと、
グループごとに、グループのリソース要素に割り当てられた第２のアップリンク参照信号に一対の直交符号のうちの一方を適用することであって、一対の直交符号のうちの他方は、基地局において、グループのリソース要素に割り当てられたダウンリンク参照信号に適用されることと、
を備える、（３２）に記載のユーザ機器。
【０１８６】
（３７）．第２のアップリンク信号は複数のタイプのアップリンク参照信号を備え、
アップリンク参照信号のタイプごとに、第１の処理は、
物理リソースユニット内の周波数リソースユニットごとに、アップリンク参照信号のタイプを割り当てられたリソース要素を少なくとも１つのグループにグループ化することであって、各グループは時間領域においてＮ個の最も近いリソース要素を備え、Ｎは１より大きい整数であることと、
グループごとに、グループのリソース要素に割り当てられたアップリンク信号のタイプに一対の直交符号のうちの一方を適用することであって、一対の直交符号のうちの他方は、基地局において、グループのリソース要素に割り当てられた第１のダウンリンク信号に適用され、一対の直交符号の各直交符号の長さはＮに等しいことと、
を備える、（３２）に記載のユーザ機器。
【０１８７】
（３８）．第２のアップリンク信号は複数のタイプのアップリンク参照信号を備え、
アップリンク参照信号のタイプごとに、第１の処理は、
物理リソースユニット内の周波数リソースユニットごとに、アップリンク参照信号のタイプを割り当てられたリソース要素を複数のグループにグループ化することであって、１つのグループは時間領域においてＭ個の最も近いリソース要素を備え、残りのグループの各々は時間領域においてＮ個の最も近いリソース要素を備え、Ｎは１より大きい整数であり、Ｍは０より大きくＮより小さい整数であることと、
残りのグループの各々に対して、グループのリソース要素に割り当てられたアップリンク参照信号のタイプに一対の直交符号のうちの一方を適用することであって、一対の直交符号のうちの他方は、基地局において、グループのリソース要素に割り当てられた第１のダウンリンク信号に適用されることと、
１つのグループに対して、１つのグループのＭ個のリソース要素に割り当てられたアップリンク参照信号のタイプおよび時間領域においてＭ個のリソース要素に隣接するＮ−Ｍ個のリソース要素に割り当てられた第２のアップリンク信号に一対の直交符号のうちの一方を適用することであって、一対の直交符号のうちの他方は、基地局において、１つのグループのＭ個のリソース要素および時間領域においてＭ個のリソース要素に隣接するＮ−Ｍ個のリソース要素に割り当てられた第１のダウンリンク信号に適用されることと、
を備える、（３２）に記載のユーザ機器。
【０１８８】
（３９）．第１のダウンリンク信号は複数のタイプのダウンリンク参照信号を備え、
ダウンリンク参照信号のタイプごとに、第１の処理は、
物理リソースユニット内の周波数リソースユニットごとに、ダウンリンク参照信号のタイプを割り当てられたリソース要素を少なくとも１つのグループにグループ化することであって、各グループは時間領域においてＮ個の最も近いリソース要素を備えることと、
グループごとに、グループのリソース要素に割り当てられた第２のアップリンク信号に一対の直交符号のうちの一方を適用することであって、一対の直交符号のうちの他方は、基地局において、グループのリソース要素に割り当てられたダウンリンク参照信号のタイプに適用されることと、
をさらに備える、（３７）または（３８）に記載のユーザ機器。
【０１８９】
（４０）．第１のダウンリンク信号は複数のタイプのダウンリンク参照信号を備え、
ダウンリンク参照信号のタイプごとに、第１の処理は、
物理リソースユニット内の周波数リソースユニットごとに、ダウンリンク参照信号のタイプを割り当てられたリソース要素を複数のグループにグループ化することであって、１つのグループは時間領域においてＰ個の最も近いリソース要素を備え、残りのグループの各々は時間領域においてＮ個の最も近いリソース要素を備え、Ｐは０より大きくＮより小さい整数であることと、
残りのグループの各々に対して、グループのリソース要素に割り当てられた第２のアップリンク信号に一対の直交符号のうちの一方を適用することであって、一対の直交符号のうちの他方は、基地局において、グループのリソース要素に割り当てられたダウンリンク参照信号のタイプに適用されることと、
１つのグループに対して、１つのグループのＰ個のリソース要素および時間領域においてＰ個のリソース要素に隣接するＮ−Ｐ個のリソース要素に割り当てられた第２のアップリンク信号に一対の直交符号のうちの一方を適用することであって、一対の直交符号のうちの他方は、基地局において、１つのグループのＰ個のリソース要素に割り当てられたダウンリンク参照信号のタイプおよび時間領域においてＰ個のリソース要素に隣接するＮ−Ｐ個のリソース要素に割り当てられた第１のダウンリンク信号に適用されることと、
をさらに備える、（３７）または（３８）に記載のユーザ機器。
【０１９０】
（４１）．第１の処理は、時間領域、周波数領域、および符号領域のうちの１つで実行される、（３０）に記載のユーザ機器。
【０１９１】
（４２）．第１の処理は時間領域において実行され、第１の処理はＴＴＩごとに変更される、（４１）に記載のユーザ機器。
【０１９２】
（４３）．第１の処理は周波数領域において実行され、第１の処理は、同じＴＴＩ内で周波数単位ごとに変更される、（４１）に記載のユーザ機器。
【０１９３】
（４４）．衝突したリソース要素の中の第１のダウンリンク参照信号を割り当てられたリソース要素に割り当てられる第２のアップリンク信号の少なくとも一部を抑制することは、
衝突したリソース要素の中のアップリンク参照信号およびダウンリンク参照信号のうちのダウンリンク参照信号のみを割り当てられたリソース要素に割り当てられる第２のアップリンク信号を抑制することと、
衝突したリソース要素の中のダウンリンク参照信号とアップリンク参照信号の両方を割り当てられたリソース要素の各々に対して、
リソース要素に割り当てられたアップリンク参照信号の優先度が、リソース要素に割り当てられたダウンリンク参照信号の優先度よりも低い場合、アップリンク参照信号を抑制することと、
そうでない場合、ダウンリンク参照信号は基地局において抑制されることと、
を備える、（３０）に記載のユーザ機器。
【０１９４】
（４５）．抑制は、レートマッチングによってリソース要素に信号を割り当てないこと、リソース要素において信号をパンクチャリングすること、リソース要素における信号の電力をゼロに削減すること、リソース要素における信号の電力をより小さい値に削減することのうちの１つによって実施される、（３０）に記載のユーザ機器。
【０１９５】
（４６）．抑制された信号は、リソース要素とは異なる別のリソース要素にさらに再割当てされる、（４５）に記載のユーザ機器。
【０１９６】
（４７）．第２の処理はＴＴＩごとに変更される、（３０）に記載のユーザ機器。
【０１９７】
（４８）．物理リソースユニット内の衝突したリソース要素に対して第１の処理が実行されるか第２の処理が実行されるかは、衝突したリソース要素に割り当てられた参照信号のタイプに基づいて判定される、（３０）に記載のユーザ機器。
【０１９８】
（４９）．ＴＡ（タイミングアドバンス）値をさらに考慮に入れることにより、第１の処理または第２の処理は実行される、（３０）に記載のユーザ機器。
【０１９９】
（５０）．第１の処理は、物理リソースユニット内の衝突した各リソース要素における第１のダウンリンク信号と、衝突した各リソース要素から時間領域においてＴＡ値の分遅延した位置にあるリソース要素に割り当てられた第２のアップリンク信号との間にＣＤＭが適用されるようにさらに実行されるために使用され、
第２の処理は、衝突したリソース要素内のダウンリンク参照信号を割り当てられたリソース要素から時間領域においてＴＡ値の分遅延した位置にあるリソース要素に割り当てられる第２のアップリンク信号を抑制することをさらに備える、
（４９）に記載のユーザ機器。
【０２００】
（５１）．第１のダウンリンク信号および第２のダウンリンク信号は同じユーザ機器向けであるか異なるユーザ機器向けであるかは、暗黙的な方法または明示的な方法で基地局からユーザ機器にシグナリングされる、（２７）に記載のユーザ機器。
【０２０１】
（５２）．第１の処理および／または第２の処理は実行されたかどうか、第１の処理または第２の処理の具体的な設定、ならびに第１の処理および／または第２の処理の禁止は、明示的な方法で基地局からユーザ機器にシグナリングされる、（３０）に記載のユーザ機器。
【０２０２】
（５３）．第２のアップリンク信号によって使用される波形および第１のダウンリンクの信号によって使用される波形は、互いに同じであるか、または異なる、（２７）に記載のユーザ機器。
【０２０３】
（５４）．第１の処理または第２の処理を実行される衝突したリソース要素の１つまたは複数の隣接リソース要素は、波形技法に基づいて確保される、（３０）に記載のユーザ機器。
【０２０４】
（５５）．１つの送信時間間隔（ＴＴＩ）に対応する全二重モードにおける物理リソースユニットでのワイヤレス通信方法であって、物理リソースユニットは、ＴＴＩ内に送信されるアップリンク信号およびダウンリンク信号を割り当てられ、方法は、
送信前にアップリンク信号およびダウンリンク信号のうちの少なくともダウンリンク信号に対して第１の処理および第２の処理のうちの少なくとも１つを実行するステップと、
基地局からＴＴＩ内に物理リソースユニットにおいてダウンリンク信号を送信し、ユーザ機器からＴＴＩ内に物理リソースユニットにおいてアップリンク信号を送信するステップと、
を備え、
第１の処理は、物理リソースユニット内の衝突したリソース要素の少なくとも一部の各々に割り当てられたダウンリンク信号とアップリンク信号との間に符号分割多重（ＣＤＭ）は適用されるように実行されるために使用され、衝突したリソース要素の各々は、少なくとも一方が参照信号であるダウンリンク信号とアップリンク信号の両方を割り当てられ、
第２の処理は、衝突したリソース要素の中の少なくともアップリンク参照信号を割り当てられたリソース要素に割り当てられるダウンリンク信号の少なくとも一部を抑制することを備える、
ワイヤレス通信方法。
【０２０５】
（５６）．第１の処理または第２の処理は、アップリンク信号およびダウンリンク信号が同じユーザ機器向けであるか、異なるユーザ機器向けであるか、に応じて異なる、（５５）に記載のワイヤレス通信方法。
【０２０６】
（５７）．アップリンク信号およびダウンリンク信号は異なるユーザ機器向けであり、衝突したリソース要素の少なくとも一部は、衝突したリソースの中のアップリンク参照信号を割り当てられたリソース要素のみであり、
第１の処理は、
衝突したリソース要素の中のアップリンク参照信号を割り当てられたリソース要素を少なくとも１つのグループにグループ化することと、
グループごとに、グループのリソース要素に割り当てられたダウンリンク信号に一対の直交符号のうちの一方を適用し、グループのリソース要素に割り当てられたアップリンク参照信号に一対の直交符号のうちの他方を適用することと、
を備える、（５６）に記載のワイヤレス通信方法。
【０２０７】
（５８）．アップリンク信号およびダウンリンク信号は同じユーザ機器向けであり、衝突したリソース要素の少なくとも一部は衝突したリソース要素のすべてであり、
第１の処理は、
衝突したリソース要素の中のアップリンク参照信号を割り当てられたリソース要素を少なくとも１つのグループにグループ化し、グループごとに、グループのリソース要素に割り当てられたダウンリンク信号に一対の直交符号のうちの一方を適用し、グループのリソース要素に割り当てられたアップリンク参照信号に一対の直交符号のうちの他方を適用することと、
衝突したリソース要素の中のアップリンク参照信号およびダウンリンク参照信号のうちのダウンリンク参照信号のみを割り当てられたリソース要素を少なくとも１つのグループにグループ化し、グループごとに、グループのリソース要素に割り当てられたダウンリンク参照信号に一対の直交符号のうちの一方を適用し、グループのリソース要素に割り当てられたアップリンク信号に一対の直交符号のうちの他方を適用することと、
を備える、（５６）に記載のワイヤレス通信方法。
【０２０８】
（５９）．リソース要素をグループ化することは、物理リソースユニット内のリソース要素の位置、および、リソース要素に割り当てられた参照信号のタイプのうちの少なくとも１つに基づく、（５７）または（５８）に記載のワイヤレス通信方法。
【０２０９】
（６０）．第１の処理は、
物理リソースユニット内の周波数リソースユニットごとに、アップリンク参照信号を割り当てられたリソース要素を少なくとも１つのグループにグループ化することであって、各グループは時間領域においてＮ個の最も近いリソース要素を備え、Ｎは１より大きい整数であることと、
グループごとに、グループのリソース要素に割り当てられたダウンリンク信号に一対の直交符号のうちの一方を適用し、グループのリソース要素に割り当てられたアップリンク参照信号に一対の直交符号のうちの他方を適用することであって、一対の直交符号の各直交符号の長さはＮに等しいことと、
を備える、（５９）に記載のワイヤレス通信方法。
【０２１０】
（６１）．第１の処理は、
物理リソースユニット内の周波数リソースユニットごとに、アップリンク参照信号を割り当てられたリソース要素を複数のグループにグループ化することであって、１つのグループは時間領域においてＭ個の最も近いリソース要素を備え、残りのグループの各々は時間領域においてＮ個の最も近いリソース要素を備え、Ｎは１より大きい整数であり、Ｍは０より大きくＮより小さい整数であることと、
残りのグループの各々に対して、グループのリソース要素に割り当てられたダウンリンク信号に一対の直交符号のうちの一方を適用し、グループのリソース要素に割り当てられたアップリンク参照信号に一対の直交符号のうちの他方を適用することであって、一対の直交符号の各直交符号の長さはＮに等しいことと、
１つのグループに対して、１つのグループのＭ個のリソース要素および時間領域においてＭ個のリソース要素に隣接するＮ−Ｍ個のリソース要素に割り当てられたダウンリンク信号に一対の直交符号のうちの一方を適用し、１つのグループのＭ個のリソース要素に割り当てられたアップリンク参照信号、および時間領域においてＭ個のリソース要素に隣接するＮ−Ｍ個のリソース要素に割り当てられたアップリンク信号に一対の直交符号のうちの他方を適用することと、
を備える、（５９）に記載のワイヤレス通信方法。
【０２１１】
（６２）．第１の処理は、
物理リソースユニット内の周波数リソースユニットごとに、アップリンク参照信号およびダウンリンク参照信号のうちのダウンリンク参照信号のみを割り当てられたリソース要素を少なくとも１つのグループにグループ化することであって、各グループは時間領域においてＮ個の最も近いリソース要素を備えることと、
グループごとに、グループのリソース要素に割り当てられたダウンリンク参照信号に一対の直交符号のうちの一方を適用し、グループのリソース要素に割り当てられたアップリンク信号に一対の直交符号のうちの他方を適用することと、
をさらに備える、（６０）または（６１）に記載のワイヤレス通信方法。
【０２１２】
（６３）．第１の処理は、
物理リソースユニット内の周波数リソースユニットごとに、アップリンク参照信号およびダウンリンク参照信号のうちのダウンリンク参照信号のみを割り当てられたリソース要素を複数のグループにグループ化することであって、１つのグループは時間領域においてＰ個の最も近いリソース要素を備え、残りのグループの各々は時間領域においてＮ個の最も近いリソース要素を備え、Ｐは０より大きくＮより小さい整数であることと、
残りのグループの各々に対して、グループのリソース要素に割り当てられたダウンリンク参照信号に一対の直交符号のうちの一方を適用し、グループのリソース要素に割り当てられたアップリンク信号に一対の直交符号のうちの他方を適用することと、
１つのグループに対して、１つのグループのＰ個のリソース要素に割り当てられたダウンリンク参照信号および時間領域においてＰ個のリソース要素に隣接するＮ−Ｐ個のリソース要素に割り当てられたダウンリンク信号に一対の直交符号のうちの一方を適用し、１つのグループのＰ個のリソース要素および時間領域においてＰ個のリソース要素に隣接するＮ−Ｐ個のリソース要素に割り当てられたアップリンク信号に一対の直交符号のうちの他方を適用することと、
をさらに備える、（６０）または（６１）に記載のワイヤレス通信方法。
【０２１３】
（６４）．物理リソースユニットにおいて受信されるアップリンク信号は複数のタイプのアップリンク参照信号を備え、
アップリンク参照信号のタイプごとに、第１の処理は、
物理リソースユニット内の周波数リソースユニットごとに、アップリンク参照信号のタイプを割り当てられたリソース要素を少なくとも１つのグループにグループ化することであって、各グループは時間領域においてＮ個の最も近いリソース要素を備え、Ｎは１より大きい整数であることと、
グループごとに、グループのリソース要素に割り当てられたダウンリンク信号に一対の直交符号のうちの一方を適用し、グループのリソース要素に割り当てられたアップリンク参照信号のタイプに一対の直交符号のうちの他方を適用することであって、一対の直交符号の各直交符号の長さはＮに等しいことと、
を備える、（５９）に記載のワイヤレス通信方法。
【０２１４】
（６５）．物理リソースユニットにおいて受信されるアップリンク信号は複数のタイプのアップリンク参照信号を備え、
アップリンク参照信号のタイプごとに、第１の処理は、
物理リソースユニット内の周波数リソースユニットごとに、アップリンク参照信号のタイプを割り当てられたリソース要素を複数のグループにグループ化することであって、１つのグループは時間領域においてＭ個の最も近いリソース要素を備え、残りのグループの各々は時間領域においてＮ個の最も近いリソース要素を備え、Ｎは１より大きい整数であり、Ｍは０より大きくＮより小さい整数であることと、
残りのグループの各々に対して、グループのリソース要素に割り当てられたダウンリンク信号に一対の直交符号のうちの一方を適用し、グループのリソース要素に割り当てられたアップリンク参照信号のタイプに一対の直交符号のうちの他方を適用することと、
１つのグループに対して、１つのグループのＭ個のリソース要素および時間領域においてＭ個のリソース要素に隣接するＮ−Ｍ個のリソース要素に割り当てられたダウンリンク信号に一対の直交符号のうちの一方を適用し、１つのグループのＭ個のリソース要素に割り当てられたアップリンク参照信号のタイプ、および時間領域においてＭ個のリソース要素に隣接するＮ−Ｍ個のリソース要素に割り当てられたアップリンク信号に一対の直交符号のうちの他方を適用することと、
を備える、（５９）に記載のワイヤレス通信方法。
【０２１５】
（６６）．物理リソースユニットにおいて送信されるダウンリンク信号は複数のタイプのダウンリンク参照信号を備え、
ダウンリンク参照信号のタイプごとに、第１の処理は、
物理リソースユニット内の周波数リソースユニットごとに、ダウンリンク参照信号のタイプを割り当てられたリソース要素を少なくとも１つのグループにグループ化することであって、各グループは時間領域においてＮ個の最も近いリソース要素を備えることと、
グループごとに、グループのリソース要素に割り当てられたダウンリンク参照信号のタイプに一対の直交符号のうちの一方を適用し、グループのリソース要素に割り当てられたアップリンク信号に一対の直交符号のうちの他方を適用することと、
をさらに備える、（６４）または（６５）に記載のワイヤレス通信方法。
【０２１６】
（６７）．物理リソースユニットにおいて送信されるダウンリンク信号は複数のタイプのダウンリンク参照信号を備え、
ダウンリンク参照信号のタイプごとに、第１の処理は、
物理リソースユニット内の周波数リソースユニットごとに、ダウンリンク参照信号のタイプを割り当てられたリソース要素を複数のグループにグループ化することであって、１つのグループは時間領域においてＰ個の最も近いリソース要素を備え、残りのグループの各々は時間領域においてＮ個の最も近いリソース要素を備え、Ｐは０より大きくＮより小さい整数であることと、
残りのグループの各々に対して、グループのリソース要素に割り当てられたダウンリンク参照信号のタイプに一対の直交符号のうちの一方を適用し、グループのリソース要素に割り当てられたアップリンク信号に一対の直交符号のうちの他方を適用することと
１つのグループに対して、１つのグループのＰ個のリソース要素に割り当てられたダウンリンク参照信号のタイプおよび時間領域においてＰ個のリソース要素に隣接するＮ−Ｐ個のリソース要素に割り当てられたダウンリンク参照信号に一対の直交符号のうちの一方を適用し、１つのグループのＰ個のリソース要素および時間領域においてＰ個のリソース要素に隣接するＮ−Ｐ個のリソース要素に割り当てられたアップリンク信号に一対の直交符号のうちの他方を適用することと、
をさらに備える、（６４）または（６５）に記載のワイヤレス通信方法。
【０２１７】
（６８）．第１の処理は、時間領域、周波数領域、および符号領域のうちの１つで実行される、（５５）に記載のワイヤレス通信方法。
【０２１８】
（６９）．第１の処理は時間領域において実行され、第１の処理はＴＴＩごとに変更される、（６８）に記載のワイヤレス通信方法。
【０２１９】
（７０）．第１の処理は周波数領域において実行され、第１の処理は、同じＴＴＩ内で周波数単位ごとに変更される、（６８）に記載のワイヤレス通信方法。
【０２２０】
（７１）．アップリンク信号およびダウンリンク信号は異なるユーザ機器向けであり、衝突したリソース要素の中のアップリンク参照信号を割り当てられたリソース要素に割り当てられるダウンリンク信号の少なくとも一部を抑制することは、
衝突したリソースの中のアップリンク参照信号を割り当てられたリソース要素に割り当てられるダウンリンク信号のすべてを抑制することを備える、
（５６）に記載のワイヤレス通信方法。
【０２２１】
（７２）．アップリンク信号およびダウンリンク信号は同じユーザ機器向けであり、衝突したリソース要素の中のアップリンク参照信号を割り当てられたリソース要素に割り当てられるダウンリンク信号の少なくとも一部を抑制することは、
衝突したリソース要素の中のアップリンク参照信号およびダウンリンク参照信号のうちのアップリンク参照信号のみを割り当てられたリソース要素に割り当てられるダウンリンク信号を抑制することと、
衝突したリソース要素の中のアップリンク参照信号およびダウンリンク参照信号のうちのダウンリンク参照信号のみを割り当てられたリソース要素に割り当てられるアップリンク信号を抑制することと、
衝突したリソース要素の中のダウンリンク参照信号とアップリンク参照信号の両方を割り当てられたリソース要素の各々に対して、
リソース要素に割り当てられたダウンリンク参照信号の優先度が、リソース要素に割り当てられたアップリンク参照信号の優先度よりも低い場合、ダウンリンク参照信号を抑制することと、
そうでない場合、アップリンク参照信号を抑制することと
を備える、（５６）に記載のワイヤレス通信方法。
【０２２２】
（７３）．抑制は、レートマッチングによってリソース要素に信号を割り当てないこと、リソース要素において信号をパンクチャリングすること、リソース要素における信号の電力をゼロに削減すること、リソース要素における信号の電力をより小さい値に削減することのうちの１つによって実施される、（５５）に記載のワイヤレス通信方法。
【０２２３】
（７４）．抑制された信号は、リソース要素とは異なる別のリソース要素にさらに再割当てされる、（７３）に記載のワイヤレス通信方法。
【０２２４】
（７５）．第２の処理はＴＴＩごとに変更される、（５５）に記載のワイヤレス通信方法。
【０２２５】
（７６）．物理リソースユニット内の衝突したリソース要素に対して第１の処理は実行されるか第２の処理は実行されるかは、衝突したリソース要素に割り当てられた参照信号のタイプに基づいて判定される、（５５）に記載のワイヤレス通信方法。
【０２２６】
（７７）．ＴＡ（タイミングアドバンス）値をさらに考慮に入れることにより、第１の処理または第２の処理は実行される、（５８）または（７２）に記載のワイヤレス通信方法。
【０２２７】
（７８）．第１の処理は、物理リソースユニット内の衝突した各リソース要素におけるダウンリンク信号と、衝突した各リソース要素から時間領域においてＴＡ値の分遅延した位置にあるリソース要素に割り当てられたアップリンク信号との間にＣＤＭが適用されるようにさらに実行されるために使用され、
第２の処理は、衝突したリソース要素内のダウンリンク参照信号を割り当てられたリソース要素から時間領域においてＴＡ値の分遅延した位置にあるリソース要素に割り当てられるアップリンク信号を抑制することをさらに備える、
（７７）に記載のワイヤレス通信方法。
【０２２８】
（７９）．アップリンク信号およびダウンリンク信号は同じユーザ機器向けであるか異なるユーザ機器向けであるかは、暗黙的な方法または明示的な方法で、ダウンリンク信号を送信する基地局から、アップリンク信号を送信するユーザ機器にシグナリングされる、（５５）に記載のワイヤレス通信方法。
【０２２９】
（８０）．第１の処理および／または第２の処理は実行されたかどうか、第１の処理または第２の処理の具体的な設定、ならびに第１の処理および／または第２の処理の禁止は、明示的な方法で、ダウンリンク信号を送信する基地局から、アップリンク信号を送信するユーザ機器にシグナリングされる、（５５）に記載のワイヤレス通信方法。
【０２３０】
（８１）．アップリンク信号によって使用される波形およびダウンリンクの信号によって使用される波形は、互いに同じであるか、または異なる、（５５）に記載のワイヤレス通信方法。
【０２３１】
（８２）．第１の処理または第２の処理を実行される衝突したリソース要素の１つまたは複数の隣接リソース要素は、波形技法に基づいて確保される、（８１）に記載のワイヤレス通信方法。
【０２３２】
加えて、本開示の実施形態は、上記のそれぞれの通信方法におけるステップを実行するためのモジュールを備える集積回路を提供することもできる。さらに、本発明の実施形態は、コンピューティングデバイスにおいて実行されると、上記のそれぞれの通信方法のステップを実行するプログラムコードを含むコンピュータプログラムを記憶したコンピュータ可読記憶媒体を提供することもできる。
【図１】
2019530274.tif 000003
【図２】
2019530274.tif 000004
【図３】
2019530274.tif 000005
【図４】
2019530274.tif 000006
【図５】
2019530274.tif 000007
【図６】
2019530274.tif 000008
【図７】
2019530274.tif 000009
【図８】
2019530274.tif 000010
【図９】
2019530274.tif 000011
【図１０】
2019530274.tif 000012
【図１１】
2019530274.tif 000013
【図１２】
2019530274.tif 000014
【図１３】
2019530274.tif 000015
【図１４】
2019530274.tif 000016
【図１５】
2019530274.tif 000017
【図１６】
2019530274.tif 000018
【国際調査報告】
2019530274.tif 000019
2019530274.tif 000020